(57)【特許請求の範囲】
【請求項１】
可視グラフィック情報と、タグの集合として印刷されたほぼ不可視のコード化データとを含む印刷された表面であって、各タグはページＩＤと前記表面上の前記タグ自身の位置とを識別する、前記印刷された表面と、
光学的作像ペンであって、ユーザによって前記表面に対して作動可能な位置に配されて、前記グラフィック情報の少なくとも幾つかを指定する場合に、前記コード化データの少なくとも幾つかを用いて表示データを取得し、前記表示データは前記表面に対する前記ペンの位置及び前記ページＩＤを識別し、ユーザにより指定されるグラフィック情報は、前記表示データが基づくコード化データに隣接するか、またはほぼ一致している、前記光学的作像ペンと
を介して、ユーザがコンピュータシステムに対して操作を実行するように指示するのを可能にする方法であって、
コンピュータシステムにおいて、該方法が、
前記ペンから前記表示データを受信するステップと、
前記表示データにより識別されるページＩＤに対応するページ記述を検索するステップと、
検索された前記ページ記述及び前記ペンの位置から操作を識別するステップと、
前記表示データによって示される操作を実行するステップとを備え、
ユーザにより指定される前記グラフィック情報が、ユーザに対して前記操作を少なくとも部分的に示している、方法。
【請求項２】
請求項１に記載の方法であって、各タグが、前記表面上において所定空間範囲を有する、方法。
【請求項３】
請求項１乃至２のいずれか１項に記載の方法であって、各タグが、読み取り中の前記タグの回転の向きの確認を可能にする１つ以上の配向的形状特徴を含む、方法。
【請求項４】
請求項３に記載の方法であって、前記配向的形状特徴が、情報の冗長性を組み込むフォーマットで表される、方法。
【発明の詳細な説明】
【０００１】
（発明の分野）
本発明は、ユーザとンピュータシステムで動作するコンピュータソフトウェアとの対話を可能にする方法及びシステムに関する。
【０００２】
本発明は主に、ユーザがネットワーク化された情報と対話し、高速ネットワーク化カラープリンタを介して、オンデマンドでインタラクティブな印刷物を得ることを可能にする面ベースのインタフェースのための基礎を提供するために開発された。本願では本発明は主に該用途に関して説明されるが、本発明が該分野での使用に限定されないことは言うまでもない。
【０００３】
（同時係属中出願）
本発明の出願人または譲受人によって本出願と同時に出願された以下の同時係属中の出願において、本発明に関連する様々な方法、システムおよび装置が記載されている。
【０００４】
国際出願番号第ＰＣＴ／ＡＵ００／００５１８号、同第ＰＣＴ／ＡＵ００／００５１９号、同第ＰＣＴ／ＡＵ００／００５２０号、同第ＰＣＴ／ＡＵ００／００５２１号、同第ＰＣＴ／ＡＵ００／００５２３号、同第ＰＣＴ／ＡＵ００／００５２４号、同第ＰＣＴ／ＡＵ００／００５２５号、同第ＰＣＴ／ＡＵ００／００５２６号、同第ＰＣＴ／ＡＵ００／００５２７号、同第ＰＣＴ／ＡＵ００／００５２８号、同第ＰＣＴ／ＡＵ００／００５２９号、同第ＰＣＴ／ＡＵ００／００５３０号、同第ＰＣＴ／ＡＵ００／００５３１号、同第ＰＣＴ／ＡＵ００／００５３２号、同第ＰＣＴ／ＡＵ００／００５３３号、同第ＰＣＴ／ＡＵ００／００５３４号、同第ＰＣＴ／ＡＵ００／００５３５号、同第ＰＣＴ／ＡＵ００／００５３６号、同第ＰＣＴ／ＡＵ００／００５３７号、同第ＰＣＴ／ＡＵ００／００５３８号、同第ＰＣＴ／ＡＵ００／００５３９号、同第ＰＣＴ／ＡＵ００／００５４０号、同第ＰＣＴ／ＡＵ００／００５４１号、同第ＰＣＴ／ＡＵ００／００５４２号、同第ＰＣＴ／ＡＵ００／００５４３号、同第ＰＣＴ／ＡＵ００／００５４４号、同第ＰＣＴ／ＡＵ００／００５４５号、同第ＰＣＴ／ＡＵ００／００５４７号、同第ＰＣＴ／ＡＵ００／００５４６号、同第ＰＣＴ／ＡＵ００／００５５４号、同第ＰＣＴ／ＡＵ００／００５５６号、同第ＰＣＴ／ＡＵ００／００５５７号、同第ＰＣＴ／ＡＵ００／００５５８号、同第ＰＣＴ／ＡＵ００／００５５９号、同第ＰＣＴ／ＡＵ００／００５６０号、同第ＰＣＴ／ＡＵ００／００５６１号、同第ＰＣＴ／ＡＵ００／００５６２号、同第ＰＣＴ／ＡＵ００／００５６３号、同第ＰＣＴ／ＡＵ００／００５６４号、同第ＰＣＴ／ＡＵ００／００５６６号、同第ＰＣＴ／ＡＵ００／００５６７号、同第ＰＣＴ／ＡＵ００／００５６８号、同第ＰＣＴ／ＡＵ００／００５６９号、同第ＰＣＴ／ＡＵ００／００５７０号、同第ＰＣＴ／ＡＵ００／００５７１号、同第ＰＣＴ／ＡＵ００／００５７２号、同第ＰＣＴ／ＡＵ００／００５７３号、同第ＰＣＴ／ＡＵ００／００５７４号、同第ＰＣＴ／ＡＵ００／００５７５号、同第ＰＣＴ／ＡＵ００／００５７６号、同第ＰＣＴ／ＡＵ００／００５７７号、同第ＰＣＴ／ＡＵ００／００５７８号、同第ＰＣＴ／ＡＵ００／００５７９号、同第ＰＣＴ／ＡＵ００／００５８１号、同第ＰＣＴ／ＡＵ００／００５８０号、同第ＰＣＴ／ＡＵ００／００５８２号、同第ＰＣＴ／ＡＵ００／００５８７号、同第ＰＣＴ／ＡＵ００／００５８８号、同第ＰＣＴ／ＡＵ００／００５８９号、同第ＰＣＴ／ＡＵ００／００５８３号、同第ＰＣＴ／ＡＵ００／００５９３号、同第ＰＣＴ／ＡＵ００／００５９０号、同第ＰＣＴ／ＡＵ００／００５９１号、同第ＰＣＴ／ＡＵ００／００５９２号、同第ＰＣＴ／ＡＵ００／００５９４号、同第ＰＣＴ／ＡＵ００／００５９５号、同第ＰＣＴ／ＡＵ００／００５９６号、同第ＰＣＴ／ＡＵ００／００５９７号、同第ＰＣＴ／ＡＵ００／００５９８号、同第ＰＣＴ／ＡＵ００／００５１６、および同第ＰＣＴ／ＡＵ００／００５１７号。
【０００５】
これらの同時係争中の出願の開示は相互参照によりここに援用される。
（背景）
現在、コンピュータシステムと対話を望むユーザは、通常、キーボード及び／またはマウスを介して対話を行う。かかるインタフェースシステムは有用であるが、比較的嵩張り、たとえば、紙に対するペンを用いた触感的性質に欠ける。判読性と快適性の点において、紙の上に提供される情報は、コンピュータキーボード及びその他のコンピュータ・インタフェース装置と比較して、紙の視覚的特徴及び携帯性により、物理的により快適で便利である。しかし、マウスやキーボード入力システムとは異なり、ペンと紙は、一般的に、コンピュータソフトウェアを制御する能力に欠ける。
【０００６】
（発明の概要）
本発明の第１の態様によると、可視グラフィック情報と、ほぼ不可視のコード化データとを含むインタフェースを備えるインタフェース面と、
グラフィック情報の少なくとも幾つかを指定するために、ユーザによってインタフェース面に対して作動可能な位置に配されると、コード化データの少なくとも幾つかを用いて操作を表す表示データを検知する検知装置とを介して、ユーザがコンピュータシステムに対して操作を実行するよう指示するのを可能にする方法であって、
コンピュータシステムにおいて、該インタフェースシステムが、
検知装置から表示データを受信するステップと、
表示データによって示される操作を実行するステップとを備え、
ユーザにより指定されるグラフィック情報が、ユーザに対して少なくとも部分的に操作を示す方法が提供される。
【０００７】
本発明の第２の態様によると、可視グラフィック情報と、ほぼ不可視のコード化データとを含むインタフェースを備えるインタフェース面と、
グラフィック情報の少なくとも幾つかを指定するために、ユーザによってインタフェース面に対して作動可能な位置に配されると、コード化データの少なくとも幾つかを用いて操作を表す表示データを検知する検知装置とを介して、ユーザがコンピュータシステムに対して操作を実行するよう指示するのを可能にするインタフェースシステムであって、
コンピュータシステムが、
検知装置から表示データを受信し、
表示データによって示される操作を実行し、
ユーザにより指定されるグラフィック情報が、ユーザに対して、少なくとも部分的に操作を示すインタフェースシステムが提供される。
【０００８】
いずれの態様の好ましい実施例においても、ユーザにより指定されるグラフィック情報は、表示データが基づくコード化データに隣接するか、ほぼ一致する。
グラフィック情報は、テキスト、グラフィック、画像、ボタン、アイコン及びハイパーテキストリンクの任意の組み合わせの形態を取ることが好ましい。
【０００９】
特に好ましい形態において、コード化データは、１枚の紙上に印刷されたタグの形態を取り、タグは、光学検知スタイラスの形態にある検知装置によって読み取られるように構成される。該タグは、近赤外線を吸収するが、通常の照明条件下では人間の観察者にはほぼ不可視であるインクを用いて印刷されることが望ましい。ユーザがスタイラスの検知先端を該前記面に近づけると、１つ以上のタグが作像、解釈、及びデコードされて、操作を表す。
【００１０】
本発明のさらなる態様は、本発明の望ましい及びその他の実施例の以下の詳細な説明を読むことで明らかとなる。
（好ましい実施形態および他の実施形態の詳細な説明）
注意：Ｍｅｍｊｅｔ（登録商標）は、オーストラリアのシルバーブルック・リサーチ社（Ｓｉｌｖｅｒｂｒｏｏｋ  Ｒｅｓｅａｒｃｈ  Ｐｔｙ．Ｌｔｄ）の登録商標である。
【００１１】
好ましい実施形態において本発明はネットページネットワーク化コンピュータシステムと共に作動すべく構成されるが、その詳細な概観は以下に示される。必ずしも全ての実施方式が、基本システムに関して以下で論じられる特定の詳細および拡張の全てもしくは殆どを具現するものでないことは理解されるであろう。但し、本発明の好ましい実施形態および態様が機能する状況を理解する上で他の文献の必要性を減少すべく、上記システムは殆ど完全な形態で記述される。
【００１２】
簡潔にまとめると、ネットページ・システムの好ましい形態は、マップ化された面、すなわち、コンピュータシステム内に保持された面用マップに対する標点を含む物理的面の形態のコンピュータ・インタフェースを採用する。上記マップ標点（ｍａｐ  ｒｅｆｅｒｅｎｃｅ）は、適切な検知装置により照会され得る。特定の実施方式に依存して上記マップ標点は、可視にもしくは不可視にコード化され得るとともに、マップ化された面上で局部的照会を行うと当該マップ内および別の各マップ内の両者において明瞭なマップ標点が得られる如く定義され得る。上記コンピュータシステムは上記マップ化された面上の形状特徴（ｆｅａｔｕｒｅ）に関する情報を含み得ると共に、斯かる情報は、上記マップ化された面と共に使用される検知装置により供給されるマップ標点に基づき検索され得る。この様に検索された情報は、面の上記各形状特徴に対する操作者の相互作用に応じるべく該操作者に代わって上記コンピュータシステムにより開始されるアクションの形態を取り得る。
【００１３】
上記ネットページ・システムはその好ましい形態において、ネットページの作成、および、ネットページに対するユーザの対話（ｉｎｔｅｒａｃｔｉｏｎ）に依存する。これらは通常の用紙上に印刷されたテキスト、グラフィックおよび画像のページであるが、それらはインタラクティブ・ウェブ・ページの如く作用する。情報は、人間の肉眼ではほぼ不可視なインクを使用して各ページ上にコード化される。但し上記インクは、故に上記コード化データは、光学的作像ペンにより検知されてネットページ・システムへと送信される。
【００１４】
好ましい形態においては、各ページ上の各アクティブ・ボタンおよび各ハイパーリンクが上記ペンによりクリックされ、上記ネットワークからの情報を要求し、または、ネットワーク・サーバに対して選好性（ｐｒｅｆｅｒｅｎｃｅ）を信号送信し得る。一実施形態において、ネットページ上に手書きされたテキストは上記ネットページ・システムにおいて自動的に認識されてコンピュータ用テキストに変換されることから、フォームへと記入され得る。他の実施形態においては、ネットページ上に記録された署名が自動的に照合されることから、電子商取引（ｅ−ｃｏｍｍｅｒｃｅ）のトランザクションが安全に許可される。
【００１５】
図１に示された如く印刷されたネットページ１は対話フォームを表し得、該フォームはユーザにより、印刷されたページ上で物理的に、且つ、ペンとネットページ・システムとの間の通信により「電子的」に記入され得る。上記の例は、氏名および住所フィールドと提出ボタンとを含む「リクエスト」フォームを示している。上記ネットページは、可視インクを使用して印刷されたグラフィック・データ２と、不可視インクを使用してタグ４の集合として印刷されたコード化データ３とから成る。上記ネットページネットワーク上に記憶された対応するページ記述５は、上記ネットページの個々の要素を記述する。特に上記ページ記述は、各対話エレメント（すなわち、上記例におけるテキストフィールドおよびボタン）の種類および空間的範囲（区域）を記述することから、上記ネットページ・システムは上記ネットページを介した入力を正しく解読し得る。提出ボタン６は例えば、対応グラフィック８の空間的範囲に対応する区域７を有する。
【００１６】
図２に示された如く、その好ましい形態が図８および図９に示されると共に以下で更に詳述されるネットページ・ペン１０１はネットページ・プリンタ６０１と協働し、該プリンタは、家庭用、オフィスもしくはモバイル用にインターネット接続された印刷機器である。上記ペンは無線式であり、且つ、短距離無線回線９を介して上記ネットページ・プリンタと安全に通信する。
【００１７】
その好ましい形態が図１１乃至図１３に示されると共に以下で更に詳述されるネットページ・プリンタ６０１は、全てが対話式ネットページとして高品質で印刷される個人用新聞、雑誌、カタログ、パンフレットおよび他の刊行物を定期的にもしくはオンデマンドで配布し得る。パーソナルコンピュータとは異なり上記ネットページ・プリンタは例えば、ユーザの台所内、朝食用テーブル上、または、家庭内の１日の起点となる箇所などの様に、早朝のニュースが最初に使われる場所の近傍で壁部に取付けられ得る機器である。上記プリンタはまた、卓上型、デスクトップ型、携帯型および縮小型にされ得る。
【００１８】
必要な箇所にて印刷されたネットページは、用紙の簡便性と、インタラクティブ媒体の適時性および対話性とを組合せている。
図２に示された如く、ネットページ・ペン１０１は印刷されたネットページ１上の上記コード化データと対話し、この対話を短距離無線回線９を介してネットページ・プリンタへと通信する。プリンタ６０１はこの対話を、解読のために適切なネットページ・ページサーバ１０へと送信する。適切な環境において上記ページサーバは、ネットページ・アプリケーション・サーバ１３上で動作しているアプリケーション・コンピュータ・ソフトウェアへ対応するメッセージを送信する。その結果として、上記アプリケーション・サーバは元のプリンタ上で印刷される応答を送信しても良い。
【００１９】
上記ネットページ・システムは好ましい実施形態においては、高速の超小型電子機械的システム（ＭＥＭＳ）に基づくインクジェット（Ｍｅｍｊｅｔ（登録商標））プリンタとともに使用されることによりより好都合とされる。この技術の好ましい形態にては、消費者に対し比較的に高速で高品質の印刷が提供され得る。その好ましい形態においてネットページ刊行物は、両面にフルカラーで印刷されると共に容易な索行および快適な取り扱い為に相互に綴じられた一群のレターサイズの光沢ページなどの、従来の時事雑誌の物理的特性を有する。
【００２０】
上記ネットページ・プリンタは、普及しつつあるブロードバンドによるインターネットへのアクセスを活用する。ケーブル・サービスは合衆国では９５％の家庭が利用し、ブロードバンドによるインターネットへのアクセスを提供するケーブル・モデム・サービスは既にその２０％が利用可能である。上記ネットページ・プリンタはより低速な接続によっても作動し得るが、配布時間はより長くなり且つ画像品質はより低くなる。実際、上記ネットページ・システムは既存の消費者用インクジェットプリンタおよびレーザプリンタにより使用可能とされ得るが、上記システムの作動は更に低速となり、消費者の観点からは容認し得なくなる。他の実施形態において上記ネットページ・システムは、構内のイントラネット上で運営される。更なる他の実施形態において上記ネットページ・システムは、単一コンピュータ上で、または、プリンタなどのコンピュータが使用可能な装置上でホストされる。
【００２１】
上記ネットページネットワーク上のネットページ発行サーバ１４は、各ネットページ・プリンタに対して印刷品質の刊行物を配布すべく構成される。加入している各ネットページ・プリンタに対しては、ポイントキャスト（ｐｏｉｎｔｃａｓｔ）もしくはマルチキャスト（ｍｕｌｔｉｃａｓｔ）インターネット・プロトコルにより定期的刊行物が自動的に配信される。個人用刊行物は、個々のユーザ・プロファイルに従いフィルタリングおよびフォーマットされる。
【００２２】
ネットページ・プリンタは任意の個数のペンをサポートすべく構成され得ると共に、ペンは任意の台数のネットページ・プリンタと協働し得る。好適実施方式において、各ネットページ・ペンは一意的なＩＤ（識別）を有する。ひとつの家庭は、家族の各々に１本ずつ割り当てられた色付ネットページ・ペンの集合を有し得る。これにより各ユーザは、ネットページ発行サーバもしくはアプリケーション・サーバに関して別個のプロファイルを維持し得る。
【００２３】
ネットページ・ペンはまた、ネットページ登録サーバ１１に登録され得ると共に、ひとつ以上の支払カード口座にリンクされ得る。これにより、上記ネットページ・ペンを使用して電子商取引の支払いが安全に許可され得る。上記ネットページ登録サーバは上記ネットページ・ペンにより捕捉された署名を予め登録された署名と比較することから、該ネットページ登録サーバはユーザのＩＤを電子商取引サーバに対して認証し得る。ＩＤを照合する上では、他のバイオメトリック値（ｂｉｏｍｅｔｒｉｃ）も使用され得る。ネットページ・ペンの変形例は、上記ネットページ登録サーバにより同様に照合される指紋の読取りを含む。
【００２４】
ネットページ・プリンタはユーザの介在なしで朝刊などの定期刊行物を配布し得るが、求められないジャンク・メールなどを配布するようには構成され得ない。その好ましい形態において上記プリンタは、購読契約された供給源もしくは権限付与された供給源からの定期刊行物のみを配布する。この点に関して上記ネットページ・プリンタは、電話番号もしくは電子メール・アドレスを知った一切のジャンク・メーラ（ｊｕｎｋ  ｍａｉｌｅｒ）から見えるファックス装置もしくは電子メール・アカウントとは異なるものである。
【００２５】
１．  ネットページ・システムのアーキテクチャ
上記システムにおける各オブジェクト・モデルは、統一モデル言語（Ｕｎｉｆｉｅｄ  Ｍｏｄｅｌｉｎｇ  Ｌａｎｇｕａｇｅ）（ＵＭＬ）のクラス概念図を使用して記述される。ひとつのクラス概念図は、関係により接続された一群のオブジェクト・クラスからなり、此処では２種類の関係（ｒｅｌａｔｉｏｎｓｈｉｐ）、すなわち、関連（ａｓｓｏｃｉａｔｉｏｎ）および汎化（ｇｅｎｅｒａｌｉｚａｔｉｏｎ）が重要である。関連とは、オブジェクト間の、すなわち各クラスの各インスタンス間の一定種類の関係を表す。汎化は実際の各クラスに関連すると共に、次の様に理解され得る。もしひとつのクラスがそのクラスの全てのオブジェクトの集合であると考えられ且つクラスＡがクラスＢの汎化であるとすれば、Ｂは単にＡの部分集合である。上記ＵＭＬは、二次的モデリング、すなわちクラスのクラスを直接的にはサポートしない。
【００２６】
各クラスは、そのクラスの名称により名称表示された矩形として描かれる。それは、水平線により名称から分離されたクラスの各属性のリストと、水平線により上記属性リストから分離されたそのクラスの操作のリストとを含む。但し、以下の各クラス概念図において、各動作はモデル化されない。
【００２７】
関連は２個のクラスを結ぶラインとして描かれ、いずれかの端部にて関連の多重度により選択的に名称表示される。既定の多重度は１（ｏｎｅ）である。アスタリスク（＊）は、「多（ｍａｎｙ）」すなわちゼロ以上の多重度を示す。各関連はその名称により選択的に名称表示されると共に、いずれかの端部にて対応クラスの役割により選択的に名称表示される。白抜き菱形は、集約的関連（ａｇｇｒｅｇａｔｉｏｎ  ａｓｓｏｃｉａｔｉｏｎ）（「〜の一部である（ｉｓ−ｐａｒｔ−ｏｆ）」）を表し、且つ、関連ラインのアグレゲータ（ａｇｇｒｅｇａｔｏｒ）端部に描かれている。
【００２８】
汎化関係（「である（ｉｓ−ａ）」）は、２つのクラスを結ぶ実線として描かれ、汎化端部には（白抜き三角形の形態の）矢印が付されている。
クラス概念図が複数の概念図に分解された場合、複製される任意のクラスは、それを定義する主要概念図以外においては点線外枠により示される。クラスは、該クラスが定義される箇所においてのみ属性と共に示される。
【００２９】
１．１  ネットページ
ネットページは、ネットページネットワークが構築される基礎である。ネットページは、発行された情報およびインタラクティブ・サービスに対する紙ベースのユーザインタフェースを提供する。
【００３０】
ネットページは、そのページのオンライン記述に関して不可視にタグ付けされた印刷されたページ（もしくは他の面領域）から成る。オンライン・ページ記述は、ネットページ・ページサーバにより永続的に維持される。上記ページ記述は、テキスト、グラフィックおよび画像などの、そのページの可視のレイアウトおよび内容を記述する。上記ページ記述はまた、ボタン、ハイパーリンクおよび入力フィールドなどのページ上の入力用エレメントも記述する。ネットページによれば、上記ネットページ・システムにより同時に捕捉かつ処理されることを可能にするマーキングがネットページ・ペンにより当該ネットページ上に行われ得る。
【００３１】
複数のネットページが同一のページ記述を共有し得る。但し、その他の点では同一な各ページを介した入力が区別され得るべく、各ネットページには一意的ページ識別子が割り当てられる。このページＩＤは、相当に多数のネットページを区別し得るに十分な精度を有する。
【００３２】
上記ページ記述への参照は、印刷されたタグ内にコード化される。このタグは該タグが現れる一意的ページを識別することにより、ページ記述を間接的に識別する。タグはまた、ページ上における該タグ自身の位置も識別する。各タグの特性は以下において更に詳述される。
【００３３】
タグは、通常の用紙などの赤外線反射性な任意の物質上に赤外線吸収インクで印刷される。近赤外線波長は人間の目には不可視であるが、適切なフィルタを備えた半導体画像センサにより容易に検知される。
【００３４】
タグはネットページ・ペン内の領域画像センサにより検知され、且つ、タグ・データは最も近くに在るネットページ・プリンタを介して上記ネットページ・システムに送信される。上記ペンは無線により、短距離無線回線を介して上記ネットページ・プリンタと通信する。各タグは十分に小寸であると共に、ペンがページ上を一回クリックしただけで少なくとも一個のタグを確実に作像し得る如く稠密に配置される。ページに対して対話を行う毎にページＩＤおよび位置をペンが認識することは重要である、と言うのも、上記対話はステートレス（ｓｔａｔｅｌｅｓｓ）だからである。各タグは、面の損傷に対して部分的に耐性を有すべく、エラー補正可能にコード化される。
【００３５】
上記ネットページ・ページサーバは各印刷済ネットページに対する一意的ページインスタンスを維持することにより、各印刷済ネットページに対するページ記述における各入力フィールドに対してユーザが供給した値の別個の群を維持し得る。
【００３６】
図４には、ページ記述、ページインスタンスおよび印刷済ネットページの関係が示されている。ページインスタンスは、それが印刷されたネットページ・プリンタと、もし認識されるならば、それを要求したネットページ・ユーザとの両者に対して関連付けられる。
【００３７】
１．２ネットページ・タグ
１．２．１タグ・データ内容
好ましい形態において各タグは、それが現れる領域と、その領域内におけるそのタグの所在位置（ｌｏｃａｔｉｏｎ）とを識別する。タグはまた、全体としてその領域、または、そのタグに関連する各フラグも含み得る。一個以上のフラグ・ビットは例えばタグ検知装置に対して信号を送信して、領域の記述を検知装置が参照すること無く、そのタグの即時領域（ｉｍｍｅｄｉａｔｅ  ａｒｅａ）に関連する機能を表すフィードバックを提供する。ネットページ・ペンは例えば、ハイパーリンクの区域内に在るときに、「アクティブ領域（ａｃｔｉｖｅ  ａｒｅａ）ＬＥＤ」を点灯し得る。
【００３８】
以下において更に明瞭に説明される如く好ましい実施形態において各タグは容易に認識される不変の構造を含むが、該構造は、初期検出を助力すると共に、面により誘起された一切の撓みに起因するか、または検知プロセスに起因する影響を最小化するのを助ける。各タグは好適にはページ全体をタイル（ｔｉｌｅ）すると共に、各タグは十分に小寸であり且つペンがページ上を一回クリックしただけで少なくとも一個のタグを確実に作像し得る如く稠密に配置される。ページに対して対話を行う毎にページＩＤおよび位置をペンが認識することは重要である、と言うのも、上記対話はステートレスだからである。
【００３９】
好ましい実施形態においてタグが参照する領域はページ全体と一致することから、上記タグ内にコード化された領域ＩＤは、そのタグが現れるページのページＩＤと同義である。他の実施形態においては、タグが参照する領域はページもしくは他の面における任意の部分的領域とされ得る。例えばそれは、対話エレメントの区域と一致し得るが、その場合に領域ＩＤはその対話エレメントを直接的に識別し得る。
【表１】
0004663131.tif 000002
【００４０】
各タグは、一般的には表１に示された如く割り当てられた１２０ビットの情報を含む。１平方インチ（６．４５平方センチメートル）当たりで６４個の最大タグ密度とすると、１６ビット・タグＩＤは１０２４平方インチ（６６０６平方センチメートル）までの領域サイズをサポートする。単に相互に当接する領域およびマップを使用することにより、更に大きな領域がタグＩＤ精度を増加すること無く連続的にマップ化され得る。１００ビットの領域ＩＤに依れば、２100 （〜１０30すなわち百万×１兆×１兆）の異なる領域が一意的に識別され得る。
【００４１】
１．２．２  タグ・データのコード化
上記１２０ビットのタグ・データは、（１５，５）リード・ソロモン符号を使用して冗長的にコード化される。これによれば、各々が１５個の４ビット記号から成る６個の符号語（ｃｏｄｅｗｏｒｄ）から成る３６０個のコード化ビットが得られる。上記（１５，５）コードによれば１符号語当たり５個の記号エラーが補正され得るものであり、すなわち、符号語当たり３３％までの記号エラー率の耐性が在る。
【００４２】
各４ビット記号はタグ内において空間的に密着した手法で表され、且つ、６個の符号語の各記号はタグ内において空間的にインターリーブされる。これによれば確実に、バースト・エラー（空間的に近傍の複数のビットに影響するエラー）が全体として破損する記号の個数が最小となりかつ任意の符号語において破損する記号の個数が最小とされることから、バースト・エラーが完全に補正される可能性が最大となる。
【００４３】
１．２．３  物理的タグ構造
図５に示されたタグの物理的表現は、固定ターゲット構造１５，１６，１７および可変データ領域１８を含む。上記固定ターゲット構造によれば、ネットページ・ペンなどの検知装置は、タグを検出すると共に、当該センサに対するタグの３次元配向を推定し得る。データ領域は、コード化タグ・データの個々のビットの表現を含む。
【００４４】
適切なタグ再現を行うために、タグは２５６×２５６ドットの解像度にて描かれる。１，６００ドット／インチで印刷された場合、これは約４ｍｍの直径のタグを生成する。この解像度にてタグは、１６ドット半径の「空白領域（ｑｕｉｅｔ  ａｒｅａ）」により囲繞されるべく設計される。上記空白領域は近傍の各タグによっても寄与されることから、そのタグの実効直径に対して１６ドットを付加するのみである。
【００４５】
上記タグは６個のターゲット構造を含む。検出リング１５に依り検知装置は先ず、タグ４を検出し得る。上記リングの検出は容易である、と言うのも、該リングは回転的に不変であり且つそのアスペクト比を補正するだけで遠近の歪曲（ｐｅｒｓｐｅｃｔｉｖｅ  ｄｉｓｔｏｒｔｉｏｎ）の影響の殆どは除去されるからである。配向軸心１６に依れば検知装置は、センサのヨーに依りタグの近似的平面配向を決定し得る。上記配向軸心は、一意的配向を提供すべく傾斜される。４個の透視ターゲット１７に依れば検知装置は、タグの正確な２次元透視変換（ｔｗｏ−ｄｉｍｅｎｓｉｏｎａｌ  ｐｅｓｐｅｃｔｉｖｅ  ｔｒａｎｓｆｏｒｍ）を推定し得ることから、センサに対するタグの正確な３次元位置および配向を推定し得る。
【００４６】
全てのターゲット構造は、ノイズに対する耐性を改善すべく、冗長的に大寸である。
タグ形状全体は円形である。これは特に、不整な三角形格子上における最適なタグ充填をサポートする。これは、円形検出リングと組合され、タグ内におけるデータ・ビットの円形構成を最適とする。そのサイズを最大化すべく各データ・ビットは、２本の径方向ラインと、２つの同心の円弧により境界付けられた領域の形態を有する径方向くさび部により表される。各くさび部は１，６００ｄｐｉにて８ドットの最小寸法を有し、且つ、その基部（すなわちその内側弧５１４）が少なくともこの最小寸法と等しい様に設計される。くさび部の径方向高さは、常に上記最小寸法と等しい。各４ビット・データ記号は図４８に最も良く示される如く２×２個のくさび部の配列により表される。
【００４７】
６個の符号語の各々の１５個の４ビット・データ記号は、図５に示された４個の同心的記号リング１８ａ乃至１８ｄに対し、図４９乃至図５１に示された様式でインターリーブされる。複数の記号が、タグの回りにおいて円形に進展すべく交互に割り当てられる。
【００４８】
上記インターリーブは、同一の符号語の任意の２個の記号間の平均的空間距離を最大化すべく設計される。
検知装置を介してタグ付け領域に対する「シングル・クリック」での対話をサポートすべく、上記検知装置は、領域の何処に配置されるかまたはどの配向で配置されるかに関わりなく、当該検知装置の視野内に少なくとも一個のタグの全体を視認し得ねばならない。故に、上記検知装置の視野の必要直径は、各タグのサイズおよび間隔の関数である。
【００４９】
円形タグ形状を仮定すると、センサ視野の最小直径は、図６に示された如く各タグが正三角形格子上にタイリングされたときに求められる。
１．２．４  タグ画像の処理および復号化
図７には、ネットページ・ペンなどの検知装置により実施されるタグ画像の処理および復号化が示されている。捕捉された画像が上記画像センサから獲得されている間、画像のダイナミック・レンジは（２０にて）決定される。レンジの中心はそのとき、画像２１に対する２値の閾値（ｂｉｎａｒｙ  ｔｈｒｅｓｈｏｌｄ）として選択される。上記画像は次に（２２にて）結合されたピクセル領域（すなわち形状２３）へと閾値演算処理されてセグメント化される。タグ・ターゲット構造を表すには小さ過ぎる形状は廃棄される。各形状のサイズおよび重心も算出される。
【００５０】
次に、各形状に対してはバイナリ形状モーメント２５が（２４にて）算出されることにより、引き続きターゲット構造を位置決めする為の基礎が提供される。中心の形状モーメントはそれらの不変位置の性質に依るものであり、且つ、スケール、アスペクト比および回転に関して容易に不変とされ得る。
【００５１】
リング状ターゲット構造１５は（２６にて）位置決めされるべき第１のものである。リングは、遠近的に歪曲されたときでも極めて良好に挙動するという利点を有する。各形状のモーメントを縦横正規化かつ回転正規化することにより、整合が行われる。リングの二次モーメントが正規化されたなら、遠近の歪曲が相当であってもリングは容易に認識される。リングの元の縦横および回転２７は協働して、上記透視変換の有用な近似を提供する。
【００５２】
軸ターゲット構造１６は、（２８にて）次に位置決めされるべきものである。上記リングの正規化を各形状のモーメントに適用すると共に、結果的な各モーメントを回転正規化することにより、整合が進む。その二次モーメントが正規化されたなら、上記軸ターゲットは容易に認識される。尚、上記軸の２通りの可能な配向を明確化すべく、ひとつの三次モーメントが必要なことに留意されたい。これを可能とすべく、上記形状は一方の側へと故意に傾斜される。また、上記軸ターゲットにリングの正規化が適用された後でのみ上記軸ターゲットを回転正規化することが可能なことに留意されたい、と言うのも、上記遠近の歪曲は上記軸ターゲットの軸心を隠蔽し得るからである。上記軸ターゲットの元の回転は、ペンのヨー２９に依るタグの回転の有用近似を提供する。
【００５３】
４個の透視ターゲット構造１７は、（３０にて）最後に位置決めされるべきものである。それらの位置の良好な評価は、リングおよび各軸ターゲットに対する各透視ターゲット構造の既知の空間的関係と、上記リングの縦横および回転と、上記軸心の回転とに基づき算出される。リングの正規化を各形状の各モーメントに適用することにより整合が進展する。それらの二次モーメントが正規化されたなら、上記各円形透視ターゲットは容易に認識され、評価された各位置に最も近いターゲットが匹敵物として採用される。次に、４個の上記透視ターゲットの元の各重心がタグ空間内における既知サイズの正方形の遠近的に歪曲された角部３１であるとして採用され、且つ、（３２においては）上記４個のタグ空間および画像空間の点対に関して良好に理解される方程式を解くことで８自由度透視変換３３が推定される（バークレー所在、カリフォルニア大学ＥＥＣＳ学科、ヘックバート、Ｐ．（Ｈｅｃｋｂｅｒｔ，  Ｐ．）による修士論文、「Ｆｕｎｄａｍｅｎｔａｌｓ  ｏｆ  Ｔｅｘｔｕｒｅ  Ｍａｐｐｉｎｇ  ａｎｄ  Ｉｍａｇｅ  Ｗａｒｐｉｎｇ」技術レポート第ＵＣＢ／ＣＳＤ  ８９／５１６号，１９８９年６月を参照。該論文の内容は相互参照によりここに援用される）。
【００５４】
推定されたタグ空間から画像空間への透視変換は、タグ空間内における各既知データ・ビット位置を画像空間内に投影すべく使用され、その場合、実値化された位置は入力画像における４個の適切な隣接ピクセルを双線形的に補間すべく使用される。予め算出された画像閾値２１は、結果を閾値演算処理して最終ビット値３７を生成すべく使用される。
【００５５】
この様にして全ての３６０個のデータ・ビット３７が獲得されたなら、６個の６０ビット・リード・ソロモン符号の各々は（３８にて）復号化され、２０組の復号化済ビット３９、すなわち合計で１２０個の復号化済ビットが得られる。上記符号語の各記号は符号語の順番でサンプリングされることから、サンプリング・プロセスの間に各符号語は暗黙的にインターリーブされることに留意されたい。
【００５６】
リングターゲット１５は上記画像の部分的領域内においてのみ発見されることから、その画像に対する該リングターゲット１５の関係により、もし発見されればリングは完全タグの一部であることが保証される。完全タグが発見されずに好首尾に復号化されたとしても、現在フレームに対するペン位置は記録されない。適切な処理能力および理想的には非最小視野１９３が与えられれば、代替的な方策としては現在タグにおける別のタグを探す段階が含まれる。
【００５７】
獲得されたタグ・データは、そのタグを含む領域のＩＤと、該領域内におけるそのタグの位置とを表す。その後（３４にては）、上記領域内におけるペン先の正確な位置３５ならびにペンの全体的配向３５が、そのタグ上で観察された透視変換３３と、ペンの物理的軸心とペンの光学軸との間の既知空間関係とから推定される。
【００５８】
１．２．５  タグ・マップ
タグを復号化すると、領域ＩＤ、タグＩＤおよび対タグ・ペン変換（ｔａｇ−ｒｅｌａｔｉｖｅ  ｐｅｎ  ｔｒａｎｓｆｏｒｍ）を生じる。上記タグＩＤおよび対タグ・ペン所在位置（ｔａｇ−ｒｅｌａｔｉｖｅ  ｐｅｎ  ｌｏｃａｔｉｏｎ）が上記タグ付け領域内の絶対所在位置へと変換され得る前に、上記領域内の上記タグの所在位置が既知とされねばならない。これはタグ・マップにより与えられるが、該タグ・マップの機能は、タグ付け領域内における各タグＩＤを対応所在位置へとマッピングすることである。タグ・マップ・クラス概念図は、ネットページ・プリンタ・クラス概念図の一部として図２２に示されている。
【００５９】
タグ・マップは各タグにより面領域をタイリングすべく使用された方式を反映し、且つ、これは面の種類に依り変化し得る。複数のタグ付け領域が同一のタイリング方式および同一のタグ番号付け方式を共有する場合、これらの複数のタグ付け領域は同一のタグ・マップも共有し得る。
【００６０】
領域に対するタグ・マップは、領域ＩＤにより検索可能とされねばならない。故に、領域ＩＤ、タグＩＤおよびペン変換が与えられれば、タグ・マップが検索可能であり、タグＩＤはその領域内における絶対的タグ所在位置へと変換可能であり、且つ、対タグ・ペン所在位置がタグ所在位置に加算されて上記領域内における絶対的ペン所在位置が求められ得る。
【００６１】
１．２．６  タグ付け方式
２通りの別個の面コード化方式が重要であり、そのいずれもが、本節にて上述されたタグ構造を使用する。好適なコード化方式は、既に論じた「所在位置表示」タグを使用する。代替的なコード化方式は、オブジェクト表示タグを使用する。
【００６２】
所在位置表示タグはタグＩＤを含み、該タグＩＤは、タグ付け領域に関連するタグ・マップを介して変換されたとき、その領域内における一意的タグ所在位置を生成する。このタグ所在位置に対してはペンの対タグ所在位置が加算され、上記領域内のペンの所在位置を生成する。この所在位置は、上記領域に関連するページ記述内のユーザインタフェースエレメントに対するペンの所在位置を決定すべく使用される。ユーザインタフェースエレメント自体が識別されるだけでなく、ユーザインタフェースエレメントに対する所在位置も識別される。故に所在位置表示タグは、特定のユーザインタフェースエレメントの区域内における絶対的なペン経路の捕捉を自明的にサポートする。
【００６３】
オブジェクト表示タグは、領域に関連するページ記述内のユーザインタフェースエレメントを直接的に識別するタグＩＤを含む。上記ユーザインタフェースエレメントの区域内における全てのタグはそのユーザインタフェースエレメントを識別して、これらの全てのタグを同一のものとし、よってそれらは区別不能となる。故にオブジェクト表示タグは、絶対的ペン経路の捕捉をサポートしない。但しこれらのタグは、相対的ペン経路をサポートする。遭遇するタグ頻度に対して位置サンプリング周波数が２倍を超える限り、ひとつのストローク内においてサンプリングされたひとつのペン位置から次の位置までの変位は明確に決定され得る。
【００６４】
いずれのタグ付け方式に依っても、各タグはネットページ上で関連する視覚的要素と協働してユーザインタフェースエレメントとして機能する、と言うのも、ユーザはタグ・データが適切な検知装置により読み取られると共にネットページ・システムにおいて適切な応答が生成されるべく検知装置を使用して印刷されたページと対話し得るからである。
【００６５】
１．３  ドキュメントおよびページ記述
図２５および図２６には、ドキュメントおよびページ記述クラス概念図の好ましい実施形態が示されている。
上記ネットページ・システムにおいてドキュメントは３つのレベルで記述される。最も抽象的なレベルにてドキュメント８３６は階層構造を有するが、該階層構造の端末エレメント８３９は、テキストオブジェクト、テキスト・スタイルオブジェクト、画像オブジェクトなどのコンテンツオブジェクト８４０と関連付けられる。上記ドキュメントが特定のページ・サイズに依り且つユーザの縮尺係数選好性に従いプリンタで印刷されたなら、そのドキュメントはページ付けされるかフォーマットされる。フォーマットされた端末エレメント８３５は、いくつかの場合において、特にコンテンツオブジェクトがスタイル関連である場合、対応する端末エレメントに関連付けられたコンテンツオブジェクトとは異なるコンテンツオブジェクトに関連付けられる。ドキュメントおよびページの各印刷済インスタンスもまた別個に記述されることから、特定のページインスタンス８３０を介して捕捉された入力は、同一のページ記述の他のインスタンスを介して捕捉された入力から分離して記録され得る。
【００６６】
上記ページサーバ上には最も抽象的なドキュメント記述が存在することから、ユーザは、ソース・ドキュメントの特定フォーマットの受け入れを強制されずに、ドキュメントのコピーを要求し得る。例えばユーザは、異なるページ・サイズによるコピーをプリンタに対して要求し得る。逆に、ページサーバ上にはフォーマット済ドキュメント記述が存在することから、ページサーバは特定の印刷されたページ上におけるユーザのアクションを効率的に解釈し得る。
【００６７】
フォーマット済ドキュメント８３４は、各々が一群のフォーマット済端末エレメント８３５から成る一群のフォーマット済ページ記述５から成る。各フォーマット済エレメントは、ページ上に空間的範囲もしくは区域５８を有する。これは、ハイパーリンクおよび入力フィールドなどの入力用エレメントのアクティブ領域を定義する。
【００６８】
ドキュメントインスタンス８３１は、フォーマット済ドキュメント８３４に対応する。ドキュメントインスタンス８３１は一群のページインスタンス８３０から成り、その各々は上記フォーマット済ドキュメントのページ記述５に対応する。各ページインスタンス８３０は単一で一意的な印刷済ネットページ１を記述し、且つ、そのネットページのページＩＤ５０を記録する。ページインスタンスは、もしそれが単独で要求されたページのコピーを表すなら、ドキュメントインスタンスの一部ではない。
【００６９】
ページインスタンスは、一群の端末エレメントインスタンス８３２から成る。エレメントインスタンスは、もしそれがインスタンス特有情報を記録するときにのみ存在する。故に、ハイパーリンクインスタンスはページインスタンスに特有のトランザクションＩＤ５５を記録することからハイパーリンクエレメントに対して存在し、且つ、フィールドインスタンスはページインスタンスに特有の入力を記録することからフィールドエレメントに対して存在する。但し、テキストフローなどのスタティックエレメントに対してエレメントインスタンスは存在しない。
【００７０】
図２７に示された如く、端末エレメントはスタティックエレメント８４３、ハイパーリンクエレメント８４４、フィールドエレメント８４５もしくはページサーバコマンドエレメント８４６とされ得る。また、図２８に示された如くスタティックエレメント８４３は、スタイルオブジェクト８５４が関連付けられたスタイルエレメント８４７、スタイル化テキストオブジェクト８５５が関連付けられたテキストフローエレメント８４８、画像エレメント８５６が関連付けられた画像エレメント８４９、グラフィックオブジェクト８５７が関連付けられたグラフィックエレメント８５０、ビデオクリップオブジェクト８５８が関連付けられたビデオクリップエレメント８５１、オーディオクリップオブジェクト８５９が関連付けられたオーディオクリップエレメント８５２、または、スクリプトオブジェクト８６０が関連付けられたスクリプトエレメント８５３であり得る。
【００７１】
ページインスタンスは、ページ上で捕捉され乍らも特定の入力用エレメントに適用されない一切のデジタルインク（ｄｉｇｉｔａｌ  ｉｎｋ）を記録すべく使用される背景フィールド８３３を有する。
【００７２】
本発明の好ましい形態において、タグ・マップ８１１には各ページインスタンスが関連付けられて、ページ上の各タグはそのページ上の各所在位置へと翻訳され得る。
【００７３】
１．４  ネットページネットワーク
図３に示された如く好ましい実施形態においてネットページネットワークは、インターネットなどのネットワーク１９を介して接続されたネットページ・ページサーバ１０、ネットページ登録サーバ１１、ネットページＩＤサーバ１２、ネットページ・アプリケーション・サーバ１３、ネットページ発行サーバ１４およびネットページ・プリンタ６０１の、分散群から成る。
【００７４】
ネットページ登録サーバ１１は、ユーザ、ペン、プリンタ、アプリケーションおよび刊行物の間の関係を記録することにより種々のネットワーク作用を許可するサーバである。該サーバはユーザを認証すると共に、アプリケーション・トランザクションにおいて認証済ユーザに代わる署名プロキシ（ｓｉｇｎｉｎｇ  ｐｒｏｘｙ）として作用する。該サーバはまた、手書き文字認識サービスも提供する。上述の如くネットページ・ページサーバ１０は、ページ記述およびページインスタンスに関する永続的な情報を維持する。上記ネットページネットワークは、各々がページインスタンスの部分集合を取扱う任意個数のページサーバを含む。ページサーバは各ページインスタンスに対するユーザ入力値も維持することから、ネットページ・プリンタなどのクライアントはネットページ入力を適切なページサーバに対して直接的に送信する。そのページサーバは、斯かる入力の一切を、対応ページの記述に対して解釈する。
【００７５】
ネットページＩＤサーバ１２はドキュメントＩＤ５１をオンデマンドで割り当て、且つ、そのＩＤ割り当て方式により各ページサーバの負荷平衡化を提供する。
【００７６】
ネットページ・プリンタはインターネット式の分散名称システム（ＤＮＳ）などを使用し、ネットページ・ページＩＤ５０を、対応するページインスタンスを取扱うネットページ・ページサーバのネットワーク・アドレスへと変換する。
【００７７】
ネットページ・アプリケーション・サーバ１３は、インタラクティブ・ネットページ・アプリケーションを運営するサーバである。ネットページ発行サーバ１４は、各ネットページ・プリンタに対してネットページ・ドキュメントを発行するアプリケーション・サーバである。これらは、第２節にて詳述される。
【００７８】
ネットワーク・サーバは、ＩＢＭ、ヒューレットパッカード（Ｈｅｗｌｅｔｔ−Ｐａｃｋａｒｄ）およびサン（Ｓｕｎ）などの製造業者からの種々のネットワーク・サーバ・プラットフォーム上で運営され得る。単一のホスト上で複数のネットワーク・サーバが動作し得ると共に、単一のサーバが多数のホストに亙り分配され得る。各ネットワーク・サーバにより提供される機能性、特に、ＩＤサーバおよびページサーバにより提供される機能性の幾つかもしくは全てもまた、コンピュータ・ワークステーション内もしくはローカル・ネットワーク上におけるネットページ・プリンタなどのネットページ・アプリケーションにおいて直接的に提供され得る。
【００７９】
１．５  ネットページ・プリンタ
ネットページ・プリンタ６０１は、上記ネットページ・システムにより登録された機器であってオンデマンドにかつ予約購読によりネットページ・ドキュメントを印刷する機器である。各プリンタは一意的プリンタＩＤ６２を有すると共に、インターネットなどのネットワークを介して、理想的にはブロードバンド接続を介して上記ネットページネットワークに接続される。
【００８０】
不揮発性メモリにおけるＩＤおよびセキュリティの設定は別として、上記ネットページ・プリンタは永続的な記憶を含まない。ユーザに関する限り、「ネットワークがコンピュータである」。各ネットページは、特定のネットページ・プリンタから独立して、分散された各ネットページ・ページサーバ１０の助力により空間かつ時間に亙りインタラクティブに機能する。
【００８１】
ネットページ・プリンタは、各ネットページ発行サーバ１４から予約購読ネットページ・ドキュメントを受信する。各ドキュメントは、ページ・レイアウト、ならびに、ページに載置された実際のテキストおよび画像オブジェクトの２つの部分として配布される。個別化の故に、ページ・レイアウトは一般的には特定の加入者（ｓｕｂｓｃｒｉｂｅｒ）に対して特有であり、その故に、適切なページサーバを介して加入者のプリンタへとポイントキャストされる。一方、テキストおよび画像オブジェクトは一般的には他の加入者と共有されることから、全ての加入者のプリンタおよび適切なページサーバへとマルチキャストされる。
【００８２】
上記ネットページ発行サーバはポイントキャストおよびマルチキャストに対するドキュメント・コンテンツのセグメント化を最適化する。ドキュメントのページ・レイアウトのポイントキャストを受信した後でプリンタは、もし在るならば、どのマルチキャストを傾聴すべきかを認識する。
【００８３】
印刷されるべきドキュメントを定義する完全なページ・レイアウトおよび各オブジェクトをプリンタが受信したなら、プリンタはそのドキュメントを印刷し得る。
【００８４】
プリンタは、シートの両面において同時に奇数および偶数ページをラスタライズして印刷する。該プリンタはこの目的の為に、両面印刷エンジン制御装置７６０と、Ｍｅｍｊｅｔ（登録商標）印刷ヘッド３５０を利用する印刷エンジンとを含む。
【００８５】
印刷プロセスは２つの別個の段階、すなわち、ページ記述のラスタライズと、ページ画像の展開および印刷とからなる。ラスタ画像プロセッサ（ＲＩＰ）は、並列に動作する一個以上の標準ＤＳＰ７５７から成る。上記両面印刷エンジン制御装置は、各印刷エンジンにおける各印刷ヘッドの動作と同期されてリアルタイムでページ画像を展開し、ディザリングして印刷するカスタム・プロセッサから成る。
【００８６】
ＩＲ印刷が可能でないプリンタはＩＲ吸収性の黒インクを使用してタグを印刷する選択肢を有するが、この場合に各タグはページの空き領域内へと制限される。斯かるページはＩＲ印刷ページよりも機能性が更に限定されるが、依然としてネットページとして分類される。
【００８７】
通常のネットページ・プリンタは、薄寸用紙上にネットページを印刷する。更に特化されたネットページ・プリンタは、球体などの更に特化された面上に印刷し得る。各プリンタは少なくとも一種類の面の種類をサポートすると共に、各面種類に対して少なくとも一種類のタグのタイリング方式をサポートし、故にタグ・マップをサポートする。ドキュメントを印刷すべく実際に使用されるタグタイリング方式を記述するタグ・マップ８１１はそのドキュメントに関連付けられることから、そのドキュメントの各タグは正しく解釈され得る。
【００８８】
図２は、上記ネットページネットワーク上で登録サーバ１１により維持されるプリンタ関連情報を反映するネットページ・プリンタ・クラス概念図を示している。
ネットページ・プリンタの好ましい実施形態は、図１１乃至図１６に関して以下の第６節で更に詳述される。
【００８９】
１．５．１  Ｍｅｍｊｅｔ（登録商標）印刷ヘッド
上記ネットページ・システムは、サーマル・インクジェット、圧電インクジェット、レーザ電子写真などの広範なデジタル印刷技術により作成されたプリンタを使用して作動し得る。但し、広範な消費者に受け入れられるためには、上記ネットページ・プリンタは次の特性を有するのが望ましい。
・写真品質カラー印刷
・高品質テキスト印刷
・高い信頼性
・低プリンタ・コスト
・低インク・コスト
・低用紙コスト
・簡単な操作
・殆ど無音の印刷
・高速印刷
・同時両面印刷
・コンパクトな形状要因
・低消費電力
【００９０】
これらの特性の全てを有する商的に利用可能な印刷技術は無い。
これらの特性を有するプリンタの製造を可能とすべく、本出願人はＭｅｍｊｅｔ（登録商標）技術と称される新たな印刷技術を発明した。Ｍｅｍｊｅｔ（登録商標）は、超小型電子機械的システム（ＭＥＭＳ）技術を使用して作製されたページ幅の印刷ヘッドを取り入れたドロップ・オンデマンド（ｄｒｏｐ−ｏｎ−ｄｅｍａｎｄ）のインクジェット技術である。図１７は、Ｍｅｍｊｅｔ（登録商標）印刷ヘッドの単一の印刷要素３００を示している。上記壁掛型ネットページ・プリンタ（ｎｅｔｐａｇｅ  ｗａｌｌｐｒｉｎｔｅｒ）は、１６００ｄｐｉページ幅両面印刷プリンタを形成すべく、１６８，９６０個の印刷要素３００を組み込んでいる。このプリンタは、シアン、マゼンタ、イェロー、ブラック、および、赤外線インク、ならびに、用紙調整剤およびインク定着剤を同時に印刷する。
【００９１】
印刷要素３００は、約１１０ミクロン長および３２ミクロン幅である。これらの印刷要素の配列は、ＣＭＯＳロジック、データ転送、タイミング、および駆動回路（図示せず）を組み込んだシリコンウェハ３０１上に形成される。
【００９２】
印刷要素３００の主要要素は、ノズル３０２、ノズル縁部３０３、ノズルチャンバ３０４、流体シール３０５、インクチャネル縁部３０６、レバーアーム３０７、能動的アクチュエータビーム対３０８、受動的アクチュエータビーム対３０９、能動的アクチュエータアンカ３１０、受動的アクチュエータアンカ３１１、および、インク取入口３１２である。
【００９３】
能動的アクチュエータビーム対３０８は、接合部３１９にて受動的アクチュエータビーム対３０９に機械的に接合される。両ビーム対は、夫々のアンカ点３１０，３１１にて繋止される。要素３０８，３０９，３１０，３１１，３１９の組合せにより、カンチレバー式電熱屈曲アクチュエータ３２０が形成される。
【００９４】
図１８は、印刷要素３００の断面３１５を含む、印刷要素３００の配列の小部分を示している。シリコンウェハ３０１を貫通するインク取入口３１２を明確に示すため、断面３１５はインクなしで示されている。
【００９５】
図１９（ａ）、図１９（ｂ）および図１９（ｃ）はＭｅｍｊｅｔ（登録商標）印刷要素３００の動作サイクルを示している。
図１９（ａ）は、インク液滴の印刷前のインクメニスカス３１６の静止位置を示している。インクは、インクメニスカス３１６における表面張力と、ノズルチャンバ３０４とインクチャネル縁部３０６との間に形成された流体シール３０５とおける表面張力とにより上記ノズルチャンバ内に保持される。
【００９６】
印刷の間に印刷ヘッドＣＭＯＳ回路は、上記印刷エンジン制御装置からのデータを正しい印刷要素に配布し、データをラッチし、且つ、データをバッファすることにより、能動的アクチュエータビーム対３０８の各電極３１８を駆動する。これにより、電流はビーム対３０８を約１マイクロ秒だけ通過し、ジュール熱に帰着する。ジュール熱に起因する温度上昇によりビーム対３０８は膨張する。受動的アクチュエータビーム対３０９は加熱されずに膨張しないので、２つのビーム対間の応力差を生ずる。この応力差は部分的に、基板３０１に向けて屈曲している電熱式屈曲アクチュエータ３２０の片持ち端部により解決される。レバーアーム３０７はこの運動をノズルチャンバ３０４に伝達する。ノズルチャンバ３０４は、図１９（ｂ）に示された位置へと約２ミクロンだけ移動する。これによりインク圧力が増加され、インク３２１がノズル３０２から外方付勢されてインクメニスカス３１６が膨出される。ノズル縁部３０３は、インクメニスカス３１６がノズルチャンバ３０４の面に亙り広がるのを阻止する。
【００９７】
ビーム対３０８および３０９の温度が等しくなると、アクチュエータ３２０は元の位置に戻る。これにより、図１９（ｃ）に示された如く上記ノズルチャンバ内のインク３２１からインク液滴３１７が離脱するのが助力される。上記ノズルチャンバは、メニスカス３１６の表面張力により補充される。
【００９８】
図２０は、印刷ヘッド３５０のセグメントを示している。ネットページ・プリンタにおいて、印刷ヘッドの長さは方向３５１における用紙の全幅（一般的には２１０ｍｍである）である。示されたセグメントは、０．４ｍｍ長（印刷ヘッド全体の約０．２％）である。印刷するとき、用紙は方向３５２において固定印刷ヘッドを通過して移動される。上記印刷ヘッドは、各インク取入口３１２により供給された６色もしくは６種のインクを印刷する６行の相互嵌合印刷要素３００を有する。
【００９９】
動作の間において印刷ヘッドの脆弱な面を保護すべく印刷ヘッド基板３０１にはノズル保護ウェハ３３０が取付けられる。各ノズル３０２に対し、インク液滴が発射される対応ノズル保護孔３３１が在る。ノズル保護孔３３１が用紙繊維もしくは他の破片により閉塞されるのを防止すべく、印刷の間において空気取入口３３２を通して濾過済空気が圧送され、上記ノズル保護孔から吐出される。プリンタがアイドル状態の間には、インク３２１が乾燥するのを防止すべく上記ノズル保護孔はシールされる。
【０１００】
１．６  ネットページ・ペン
上記ネットページ・システムの能動的検知装置は一般的にはペン１０１であるが、該ペン１０１は埋設された制御装置１３４を使用して、画像センサを介してページからのＩＲ位置タグを捕捉して復号化し得る。上記画像センサは、近赤外線波長のみにおける検知を許容する適切なフィルタを備えた半導体装置である。以下において更に詳述される如く上記システムはペン先が面と接触した時点を検知し得ると共に、ペンは各タグを検知して人間の手書きを十分な速度（すなわち２００ｄｐｉ以上で、１００Ｈｚ以上）にて検知し得る。ペンにより捕捉された情報は暗号化されて無線によりプリンタ（もしくは基地局）へ送信され、プリンタもしくは基地局は（既知の）ページ構造に関してそのデータを解読する。
【０１０１】
ネットページ・ペンの好ましい実施形態は、通常の記入用インク・ペンおよび非記入用スタイラスの両者として作用する。但し、上記ネットページ・システムがインターネット・インタフェースとして使用される場合など、ネットページ・システムをブラウズジング・システムとして使用する上では、記入用の態様は不要である。各ネットページ・ペンは上記ネットページ・システムにより登録されると共に、一意的ペンＩＤ６１を有する。図２３は、上記ネットページネットワーク上で登録サーバ１１により保持されるペン関連情報を反映するネットページ・ペン・クラス概念図を示している。
【０１０２】
いずれかのペン先がネットページに接触しているとき、そのペンはページに対する位置および配向を決定する。ペン先は力センサに取付けられ、ペン先に対する力は、ペンが「上昇（ｕｐ）」しているか「下降（ｄｏｗｎ）」しているかを表す閾値に対して解釈される。これにより、ページ上の対話エレメントは、例えばネットワークからの情報を要求すべくペン先により押圧することで「クリック」され得る。更に、上記の力は連続的な値として捕捉されることから、例えば署名の動きの全てが照合され得る。
【０１０３】
上記ペンは、そのペン先の近傍においてページの領域１９３を赤外線スペクトルで作像することにより、ネットページ上におけるペン先の位置および配向を決定する。ペンは最も近いタグを復号化すると共に、作像化タグに関して観察された遠近の歪曲とペン光学機器の既知の幾何形状とから、タグに対するペン先の位置を算出する。タグの位置解像度は低いこともあるが、ページ上のタグ密度はタグ・サイズに反比例するので、調節された位置解像度は、正確な手書き文字認識に必要な最小限の解像度を超えて非常に高くなる。
【０１０４】
ネットページに対するペン動作は、一連のストロークとして捕捉される。ストロークとは、ペン下降事象により開始されると共にペン上昇事象により完了されるべくタイムスタンプされたペン位置のシーケンスから成る。ストロークはまたページＩＤが変化する毎にネットページのページＩＤ５０によりタグ付けされるが、これは通常状況ではストロークの開始時におけるものである。
【０１０５】
各ネットページ・ペンには現在選択８２６が関連付けられることから、ユーザはコピーおよびペースト動作などを実施し得る。上記選択はタイムスタンプされることから、上記システムは所定時間間隔後にそれを廃棄し得る。現在選択は、ページインスタンスの領域を記述する。現在選択は、ページの背景領域に対してペンにより捕捉された最も直近のデジタルインク・ストロークから成る。現在選択は、選択用ハイパーリンクの起動によりアプリケーションに提出されると、アプリケーション特有の様式で解釈される。
【０１０６】
各ペンは現在のペン先８２４を有する。これは、ペンによりシステムに対して最後に通知されたペン先である。上記の既定ネットページ・ペンの場合には、記入用黒インク・ペン先もしくは非記入用スタイラス・ペン先のいずれかが現在物である。各ペンはまた、現在のペン先スタイル８２５も有する。これは、例えばパレットからユーザが選択した色に応じてアプリケーションによりペンに対して最後に関連付けられたペン先スタイルである。既定ペン先スタイルは、現在のペン先に関連付けられたペン先スタイルである。ペンにより捕捉された各ストロークには、現在のペン先スタイルがタグ付けされる。各ストロークが引き続き再現されたとき、それらはそれらがタグ付けされたペン先スタイルにおいて再現される。
【０１０７】
ペンは通信可能プリンタの範囲内にあるときは常に、その「オンライン」ＬＥＤを低速で点滅させる。ペンがページに対するストロークの復号化に失敗したとき、ペンは瞬間的にその「エラー」ＬＥＤを起動する。ペンがページに対するストロークの復号化に成功したとき、ペンは瞬間的にその「ｏｋ」ＬＥＤを起動する。
【０１０８】
捕捉されたストロークのシーケンスは、デジタルインクと称される。デジタルインクは、筆跡のオンライン認識と署名のオンライン照合とに対し、図形および筆跡のデジタル変換の基礎を形成する。
【０１０９】
上記ペンは無線式であり、短距離無線回線を介してデジタルインクをネットページ・プリンタへと送信する。送信されたデジタルインクは、プライバシーおよびセキュリティの為に暗号化されると共に効率的送信の為にパケット化されるが、プリンタにおける適時の取扱いを確実にすべくペン上昇事象時には常にフラッシュされる。
【０１１０】
ペンがプリンタの有効範囲外に在るときにペンは、１０分間の連続的な手書きに対する容量を有する内部メモリへとデジタルインクをバッファする。ペンが再びプリンタの有効範囲内に入ったとき、ペンはバッファされた一切のデジタルインクを転送する。
【０１１１】
ひとつのペンは任意台数のプリンタに登録され得るが、全ての状態データは用紙上およびネットワーク上の両者にてネットページ内に存在することから、任意の特定時点にてペンがどのプリンタと通信するかは殆ど重要でない。
ペンの好ましい実施形態は図８乃至図１０に関して第６節にて更に詳細に記述される。
【０１１２】
１．７  ネットページ対話
ネットページ・プリンタ６０１は、ペン１０１がネットページ１と対話すべく使用されるとき、ペン１０１からのストロークに関するデータを受信する。各タグ４のコード化データ３は、ペンがストロークなどの移動を実行すべく使用されたときにペンにより読み取られる。上記データによれば、特定ページのＩＤおよび関連する対話エレメントが決定され得ると共に、そのページに対するペンの相対位置の表示が獲得され得る。表示データはプリンタへと送信され、其処でプリンタはＤＮＳにより上記ストロークのページＩＤ５０を、対応ページインスタンス８３０を保持するネットページ・ページサーバ１０のネットワーク・アドレスへと変換する。プリンタは次に、上記ストロークを上記ページサーバへと送信する。もし上記ページが先のストロークで最近において識別されているなら、上記プリンタはそのキャッシュ内に適切なページサーバの上記アドレスを既に有することもある。各ネットページは、ネットページ・ページサーバにより永続的に保持されたコンパクト・ページ・レイアウトから成る（以下を参照）。上記ページ・レイアウトは、一般的には上記ネットページネットワークの何処かに記憶された画像、フォントおよびテキストなどのオブジェクトを参照する。
【０１１３】
ページサーバがペンからストロークを受信したとき、それは該ストロークが該当するページ記述を検索し、且つ、上記ストロークがページ記述のどのエレメントと交差するかを決定する。ページサーバは次に、適切なエレメントの種類に関連して上記ストロークを解釈し得る。
【０１１４】
「クリック」とは、ペン下降位置と引き続くペン上昇位置との間の距離および時間の両者が一定の最小値未満である場合のストロークである。クリックにより起動されるオブジェクトは一般的には、起動されるためにクリックを必要とし、従って、より長いストロークは無視される。「ぞんざい（ｓｌｏｐｐｙ）」なクリックなどの様にペン動作の登録の不首尾は、ペンの「ｏｋ」ＬＥＤからの応答の欠如により表される。
【０１１５】
ネットページ・ページ記述にはハイパーリンクおよびフォームフィールドの２種類の入力用エレメントが在る。フォームフィールドを介して入力しても、関連するハイパーリンクの起動がトリガされる。
【０１１６】
１．７．１  ハイパーリンク
ハイパーリンクは遠隔アプリケーションに対してメッセージを送信する手段であり、一般的には上記ネットページ・システムにおける印刷された応答を引き出す。
【０１１７】
ハイパーリンクエレメント８４４は、ハイパーリンクの起動を処理するアプリケーション７１と、該アプリケーションに対するハイパーリンクを識別するリンクＩＤ５４と、ハイパーリンク起動においてユーザのアプリケーション・エイリアスＩＤ６５を含めることをシステムに要求する「エイリアス要求」フラグと、ハイパーリンクがお気に入りとして記録されているか、もしくはユーザの履歴に現れるときに使用される記述と、を識別する。図２９には、ハイパーリンクエレメント・クラス概念図が示されている。
【０１１８】
ハイパーリンクが起動されると、ページサーバはネットワーク上の何処かのアプリケーションに要求を送信する。そのアプリケーションはアプリケーションＩＤ６４により識別され、且つ、該アプリケーションＩＤはＤＮＳを介して通常手法で変換される。図３０に示された如く、ハイパーリンクの３つの種類は、一般的ハイパーリンク８６３、フォームハイパーリンク８６５および選択用ハイパーリンク８６４である。一般的ハイパーリンクは、リンク済ドキュメントに対する要求を実施し得るか、または、サーバに対して選好性を単に信号通知し得る。フォームハイパーリンクは対応フォームをアプリケーションに対して提出する。選択用ハイパーリンクは現在選択をアプリケーションに対して提出する。現在選択が例えばテキストの単一の単語を含む場合には、アプリケーションは、例えば該単語が現れたコンテキストにおけるその単語の意味を与える単一ページ・ドキュメントを返信し得るか、または、異なる言語へと翻訳し得る。各ハイパーリンクの種類は、アプリケーションに対して如何なる情報が提出されるかにより形状特徴付けられる。
【０１１９】
対応するハイパーリンクインスタンス８６２は、ハイパーリンクインスタンスが現れるページインスタンスに特有であり得るトランザクションＩＤ５５を記録する。上記トランザクションＩＤは例えば、ユーザに代わり購入アプリケーションにより保持された未決購入の「ショッピング・カート」などの、アプリケーションに対するユーザ特有データを識別し得る。
【０１２０】
上記システムは、選択用ハイパーリンク起動においてペンの現在選択８２６を含む。上記システムはまたフォームハイパーリンク起動においては関連するフォームインスタンス８６８の内容を含むが、もし上記ハイパーリンクの「増分提出（ｓｕｂｍｉｔ  ｄｅｌｔａ）」属性が設定されていれば、最後のフォーム提出から後の入力のみが含まれる。上記システムは、全てのハイパーリンク起動における効率的な戻り経路を含む。
【０１２１】
図３１に示された如く、ハイパーリンク化グループ８６６は関連するハイパーリンクを有するグループエレメント８３８である。グループ内における任意のフィールドエレメントを介して入力が生じたとき、グループに関連するハイパーリンク８４４が起動される。ハイパーリンク化グループは、ハイパーリンク挙動をチェックボックスなどのフィールドに関連付けるべく使用され得る。それはまた、フォームハイパーリンクの「増分提出」属性に関し、連続的入力をアプリケーションに提供する為にも使用され得る。故にそれは、例えば入力が捕捉され、その結果、入力が生じ次第、共有される場合のような、「黒板（ｂｌａｃｋｂｏａｒｄ）」対話モデルをサポートすべく使用され得る。
【０１２２】
１．７．２  フォーム
フォームは、印刷済ネットページを介した関連入力群を捕捉すべく使用される関連入力フィールドの集合を定義する。フォームによればユーザは、サーバ上で動作しているアプリケーション・ソフトウェア・プログラムに対して一個以上のパラメータを提出し得る。
【０１２３】
フォーム８６７は、ドキュメント階層におけるグループエレメント８３８である。それは最終的に、一群の端末フィールドエレメント８３９を包含する。フォームインスタンス８６８は、フォームの印刷済インスタンスを表す。それは、上記フォームの各フィールドエレメント８４５に対応する一群のフィールドインスタンス８７０から成る。各フィールドインスタンスは関連する値８７１を有するが、そのタイプは対応するフィールドエレメントのタイプに依存する。各フィールド値は特定の印刷済フィールドインスタンスを介した、すなわち一枚以上の印刷済ネットページを介した入力を記録する。図３２には、フォーム・クラス概念図が示されている。
【０１２４】
各フォームインスタンスは、そのフォームがアクティブであるか、フリーズされたか、提出済か、無効か、または、失効したかを表すステータス８７２を有する。フォームは、最初に印刷されたときにはアクティブである。フォームは、署名されたならばフリーズされる。フォームは、ハイパーリンクの「増分提出」属性が設定されていなければ、該フォームの提出用ハイパーリンクのひとつが起動されたときに提出済となる。フォームは、ユーザが、フォーム無効化、フォームリセットもしくはフォーム複製ページコマンドを呼び出したときに無効となる。フォームは、フォームがアクティブとなった時間がそのフォームの指定寿命を超えたときに失効する。フォームがアクティブである間、フォーム入力が許容される。アクティブでないフォームを介した入力は、代わりに、適切なページインスタンスの背景フィールド８３３において捕捉される。フォームがアクティブもしくはフリーズされているとき、フォーム提出が許容される。フォームがアクティブでなくフリーズもされていないときにフォームの提出を試行しても拒絶され、代わりにフォームステータス・レポートが出される。
【０１２５】
各フォームインスタンスにはそれに由来する一切のフォームインスタンスが（５９にて）関連付けられ、よってバージョンの履歴が提出される。これにより、特定の期間内におけるフォームの最後のバージョン以外の全てが検索から除外され得る。
【０１２６】
全ての入力はデジタルインクとして捕捉される。デジタルインク８７３は、各々が一群のスタイル化ストローク８７５から成る一群のタイムスタンプされたストロークグループ８７４から成る。各ストロークは、各々がペン配向およびペン先力を含む一群のタイムスタンプされたペン位置８７６から成る。図３３にはデジタルインク・クラス概念図が示されている。
【０１２７】
フィールドエレメント８４５は、チェックボックスフィールド８７７、テキストフィールド８７８、描画フィールド８７９または署名フィールド８８０とされ得る。図３４には、フィールドエレメント・クラス概念図が示されている。フィールドの区域５８内で捕捉された一切のデジタルインクは、そのフィールドに割り当てられる。
【０１２８】
図３５に示された如く、チェックボックスフィールドは関連するブール値８８１を有する。チェックボックスフィールドの区域内で捕捉された任意のマーク（点、交差、ストローク、記入用移動）により、そのフィールド値には真の値が割り当てられる。
【０１２９】
図３６に示された如く、テキストフィールドは関連するテキスト値８８２を有する。テキストフィールド内で捕捉された一切のデジタルインクはオンライン手書き認識を介して自動的にテキストに変換され、そのテキストにはそのフィールドの値が割り当てられる。オンライン手書き認識は良好に理解される（例えば、パターン解析およびマシン知能に関するＩＥＥＥ研究論文、第１４巻、第８号、１９９０年８月、タッパート，Ｃ．，Ｃ．Ｙ．スエンおよびＴ．ワカハラの「オンライン手書き認識に関する技術状況」（Ｔａｐｐｅｒｔ，  Ｃ．，  Ｃ．Ｙ．  Ｓｕｅｎ  ａｎｄ  Ｔ．  Ｗａｋａｈａｒａ，  “Ｔｈｅ  Ｓｔａｔｅ  ｏｆ  ｔｈｅ  Ａｒｔ  ｉｎ  Ｏｎ−Ｌｉｎｅ  Ｈａｎｄｗｒｉｔｉｎｇ  Ｒｅｃｏｇｎｉｔｉｏｎ”，  ＩＥＥＥ  Ｔｒａｎｓａｃｔｉｏｎｓ  ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ，  Ｖｏｌ．１２，  Ｎｏ．８，  Ａｕｇｕｓｔ  １９９０）を参照。前記文献の内容は相互参照によりここに援用される）。
【０１３０】
図３７に示された如く、署名フィールドは関連するデジタル署名値８８３を有する。署名フィールドの区域内で捕捉された一切のデジタルインクはペンの所有者のＩＤに関して自動的に照合され、且つ、そのフィールドが一部となるフォームの内容のデジタル署名が生成されてそのフィールドの値に割り当てられる。デジタル署名は、そのフォームを所有するアプリケーションに特有であるペン・ユーザの非公開署名キー（ｐｒｉｖａｔｅ  ｓｉｇｎａｔｕｒｅ  ｋｅｙ）を使用して生成される。オンライン署名照合も良好に理解される（例えば、プラモンドン，Ｒ．およびＧ．ロレッテによるパターン認識、第２２巻、第２号、１９８９年、「自動署名照合および書き手認識」（Ｐｌａｍｏｎｄｏｎ，  Ｒ．  ａｎｄ  Ｇ．  Ｌｏｒｅｔｔｅ，  “Ａｕｔｏｍａｔｉｃ  Ｓｉｇｎａｔｕｒｅ  Ｖｅｒｉｆｉｃａｔｉｏｎ  ａｎｄ  Ｗｒｉｔｅｒ  Ｉｄｅｎｔｉｆｉｃａｔｉｏｎ  −  Ｔｈｅ  Ｓｔａｔｅ  ｏｆ  ｔｈｅ  Ａｒｔ”，  Ｐａｔｔｅｒｎ  Ｒｅｃｏｇｎｉｔｉｏｎ，  Ｖｏｌ．２２，  Ｎｏ．２，  １９８９）を参照。前記文献の内容は相互参照によりここに援用される）。
【０１３１】
フィールドエレメントは、その「隠す（ｈｉｄｄｅｎ）」属性が設定されれば隠される。隠されたフィールドエレメントはページ上に入力区域を有さず、入力を受け入れない。それは、そのフィールドを含むフォームが提出されるときにそのフォームに含まれる関連フィールド値を有し得る。
【０１３２】
フォームフィールドにおいては、削除を示す取り消しなどの「編集」コマンドも認識され得る。
手書き文字認識アルゴリズムは「オフライン」（すなわち、ペンの記入のビットマップのみに対するアクセス）ではなく「オンライン」（すなわちペン移動の運動に対するアクセス）で機能することから、書き手依存の訓練段階なしで、継続的に離散的に書き込まれた文字を比較的に高精度で認識し得る。但し、書き手に依存する手書きモデルが経時的に自動的に生成され、必要ならば予め生成され得る。
【０１３３】
既に述べた如く、デジタルインクは各ストロークのシーケンスから成る。特定エレメントの区域内で開始したストロークは、解読の準備ができたそのエレメントのデジタルインク・ストリームにアペンドされる。オブジェクトのデジタルインク・ストリームにアペンドされない一切のストロークは、背景フィールドのデジタルインク・ストリームに対してアペンドされる。
【０１３４】
背景フィールドにおいて捕捉されたデジタルインクは、選択動作として解釈される。一個以上のオブジェクトを線で囲うことは、線で囲われたオブジェクトは一般に選択されたと解釈されるが、実際の解釈はアプリケーションに特有である。
【０１３５】
表２は、ネットページに対するこれらの種々のペン対話を要約している。
【表２】
0004663131.tif 000003
【０１３６】
上記システムは、各ペンに対する現在選択を保持する。この選択は単に、背景フィールドにおいて捕捉された最も最近のストロークから成る。上記選択は、非活動状態タイムアウトの後にクリアされ、予測可能な挙動を確実にする。
【０１３７】
全てのフィールドで捕捉された未処理のデジタルインクは上記ネットページ・ページサーバ上に保持されると共に、そのフォームがアプリケーションに提出されるときにそのフォームと共に選択的に送信される。これによりアプリケーションは、未処理デジタルインクが手書きテキストの変換などの最初の変換か否かを照会し得る。これは例えば、アプリケーション特有の一定の整合性チェックを必要とするフォームに対してアプリケーション・レベルでの人間の介在を必要とし得る。これに対する拡張として、フォームの背景領域全体が描画フィールドとして設計され得る。アプリケーションは次に、フォームの明示的フィールドの外側のデジタルインクの存在に基づいて、これらのフィールドの外側で記入されたフィールドに対してユーザが修正を示したと仮定して、そのフォームを人的オペレータにルーティングするか否かを判断し得る。
【０１３８】
図３８は、ネットページに対するペン入力の処理プロセスのフローチャートを示している。このプロセスは、（８８４にて）ペンからのストロークを受信するステップと、（８８５にて）上記ストロークにおけるページＩＤ５０が参照するページインスタンス８３０を識別するステップと、（８８６にて）ページ記述５を検索するステップと、（８８７にて）その区域５８が上記ストロークと交差するフォーマット済エレメント８３９を識別するステップと、（８８８にて）上記フォーマット済エレメントがフィールドエレメントに対応するか否かを判断し、もしそうであれば（８９２にて）受信したストロークをフィールド値８７１のデジタルインクに対してアペンドさせ、（８９３にて）そのフィールドの蓄積デジタルインクを解釈し、且つ、（８９４にて）そのフィールドがハイパーリンク化グループ８６６の一部か否かを判断し、もしそうであれば（８９５にて）関連するハイパーリンクを起動するステップと、代替的に（８８９にて）、フォーマット済エレメントがハイパーリンクエレメントに対応するか否かを判断し、もしそうであれば（８９５にて）対応ハイパーリンクを起動するステップと、代替的に（８９０にて）、入力フィールドもしくはハイパーリンクが存在しない場合、受信されたストロークを背景フィールド８３３のデジタルインクにアペンドするステップと、（８９１にて）受信されたストロークを、登録サーバにより保持された現在ペンの現在選択８２６に対してコピーするステップとから成る。
【０１３９】
図３８ａは図３８に示されたプロセスにおける段階８９３の詳細フローチャートを示しており、此処でフィールドの蓄積デジタルインクはそのフィールドのタイプに従って解釈される。該プロセスは、（８９６にて）そのフィールドがチェックボックスか否かを判断すると共に、（８９７にて）デジタルインクはチェックマークを表すか否かを判断し、もしそうであれば、（８９８にて）フィールド値に対して「真」値を割り当てるステップと、代替的に（８９９にて）、そのフィールドがテキストフィールドか否かを判断すると共に、もしそうであれば、（９００にて）適切な登録サーバの助力によりデジタルインクをコンピュータ用テキストへと変換し、且つ、変換されたコンピュータ用テキストを（９０１にて）上記フィールド値に割り当てるステップと、代替的に（９０２にて）、フィールドが署名フィールドか否かを判断すると共に、もしそうであれば、（９０３にて）適切な登録サーバの助力によりそのデジタルインクをペンの所有者の署名として照合し、（９０４にて）これもまた登録サーバの助力により且つ対応アプリケーションに関するペン所有者の非公開署名キーを使用して対応フォームの内容のデジタル署名を生成し、且つ、（９０５にて）上記デジタル署名を上フィールド値に割り当てるステップとから成る。
【０１４０】
１．７．３  ページサーバコマンド
ページサーバコマンドは、ページサーバによりローカルに処理されるコマンドである。該コマンドは、フォーム、ページおよびドキュメントインスタンスに対して直接的に作用する。
【０１４１】
図３９に示された如くページサーバコマンド９０７は、フォーム無効化コマンド（ｖｏｉｄ  ｆｏｒｍ  ｃｏｍｍａｎｄ）９０８、フォーム複製コマンド（ｄｕｐｌｉｃａｔｅ  ｆｏｒｍ  ｃｏｍｍａｎｄ）９０９、フォームリセットコマンド（ｒｅｓｅｔ  ｆｏｒｍ  ｃｏｍｍａｎｄ）９１０、フォームステータス獲得コマンド（ｇｅｔ  ｆｏｒｍ  ｓｔａｔｕｓ  ｃｏｍｍａｎｄ）９１１、ページ複製コマンド（ｄｕｐｌｉｃａｔｅ  ｐａｇｅ  ｃｏｍｍａｎｄ）９１２、ページリセットコマンド（ｒｅｓｅｔ  ｐａｇｅ  ｃｏｍｍａｎｄ）９１３、ページステータス獲得コマンド（ｇｅｔ  ｐａｇｅ  ｓｔａｔｕｓ  ｃｏｍｍａｎｄ）９１４、ドキュメント複製コマンド（ｄｕｐｌｉｃａｔｅ  ｄｏｃｕｍｅｎｔ  ｃｏｍｍａｎｄ）９１５、ドキュメントリセットコマンド（ｒｅｓｅｔ  ｄｏｃｕｍｅｎｔ  ｃｏｍａｎｄ）９１６、または、ドキュメントステータス獲得コマンド（ｇｅｔ  ｄｏｃｕｍｅｎｔ  ｓｔａｔｕｓｃｏｍｍａｎｄ）９１７とされ得る。
【０１４２】
フォーム無効化コマンドは、対応するフォームインスタンスを無効化（ｖｏｉｄ）する。フォーム複製コマンドは、対応フォームインスタンスを無効化してから、フィールド値を保存し乍ら現在フォームインスタンスのアクティブ印刷コピーを生成する。このコピーはオリジナルと同一のハイパーリンク・トランザクションＩＤを含むことから、アプリケーションとしてはオリジナルと区別がつかない。フォームリセットコマンドは、対応フォームインスタンスを無効化してから、フィールド値を廃棄し乍らフォームインスタンスのアクティブ印刷コピーを生成する。フォームステータス獲得コマンドは、対応フォームインスタンスを誰が発行したか、いつ印刷されたか、誰の為に印刷されたかなどの、対応フォームインスタンスのステータスに関する印刷レポートおよびそのフォームインスタンスのフォームステータスを生成する。
【０１４３】
フォームハイパーリンクインスタンスはトランザクションＩＤを含むことから、新たなフォームインスタンスを生成する際にはアプリケーションが関与せねばならない。故に、新たなフォームインスタンスを要求するボタンは一般的に、ハイパーリンクとして実現される。
【０１４４】
ページ複製コマンドは、背景フィールド値を保存し乍ら、対応ページインスタンスの印刷コピーを生成する。もしそのページがフォームまたはフォームの一部を含めば、ページ複製コマンドはフォーム複製コマンドとして解釈される。ページリセットコマンドは、背景フィールド値を廃棄し乍ら対応するページインスタンスの印刷コピーを生成する。もしそのページがフォームまたはフォームの一部を含めば、ページリセットコマンドはフォームリセットコマンドとして解釈される。ページステータス獲得コマンドは、対応ページインスタンスを誰が発行したか、いつ印刷されたか、誰の為に印刷されたかなどの、対応ページインスタンスのステータスに関する印刷レポートおよび該ページインスタンスが含むもしくは一部である一切のフォームのステータスを生成する。
【０１４５】
全てのネットページに現れるネットページ・ロゴには通常、複製ページエレメントが関連付けられる。
ページインスタンスがフィールド値を保存し乍ら複製されたとき、各フィールド値はそれらの元の形態で印刷され、すなわち、チェックマークは標準チェックマーク・グラフィックとして現れ、テキストは写植テキストとして現れる。描画および署名のみがそれらの元の形態で現れ、標準グラフィックが伴う署名は好首尾な署名照合を表す。
【０１４６】
ドキュメント複製コマンドは、背景フィールド値を保存し乍ら対応ドキュメントインスタンスの印刷コピーを生成する。もしドキュメントが何らかのフォームを含むなら、ドキュメント複製コマンドはフォーム複製コマンドが行うのと同様にして各フォームを複製する。ドキュメントリセットコマンドは、背景フィールド値を廃棄し乍ら、対応ドキュメントインスタンスの印刷コピーを生成する。もしドキュメントが何らかのフォームを含むなら、ドキュメントリセットコマンドはフォームリセットコマンドが行うのと同様にして、各フォームをリセットする。ドキュメントステータス獲得コマンドは、対応ドキュメントインスタンスを誰が発行したか、いつ印刷されたか、誰の為に印刷されたかなどの、対応ドキュメントインスタンスのステータスに関する印刷レポートおよび該ドキュメントインスタンスが含む一切のフォームのステータスを生成する。
【０１４７】
もしページサーバコマンドの「選択中（ｏｎ  ｓｅｌｅｃｔｅｄ）」属性が設定されている場合には、該コマンドは、そのコマンドを含むページ上では無く、ペンの現在選択により識別されるページ上で作用する。これにより、ページサーバコマンドのメニューが印刷され得る。もしターゲット・ページが指定ページサーバコマンドに対するページサーバコマンドエレメントを含まなければ、そのコマンドは無視される。
【０１４８】
アプリケーションは、ハイパーリンク化グループ内に適切なページサーバコマンドエレメントを埋設することにより、アプリケーションに特有な処理を提供し得る。ページサーバは、ページサーバコマンドを実行するのでは無く、ハイパーリンク化グループに関連付けられたハイパーリンクを起動する。
【０１４９】
ページサーバコマンドエレメントは、その「隠す」属性が設定されていれば隠される。隠されたコマンドエレメントはページ上に入力区域を有さないことから、ユーザにより直接的には起動され得ない。但しそれは、もしページサーバコマンドの「選択時」属性が設定されていれば、異なるページに埋設されたページサーバコマンドを介して起動され得る。
【０１５０】
１．８  ネットページの標準的形状特徴
好ましい形態においては、各ネットページの底部にネットページ・ロゴが印刷され、該ページがネットページなので対話的特性を有することを表す。上記ロゴはまた、コピー・ボタンとしても作用する。多くの場合、ロゴを押圧するとページのコピーが生成される。フォームの場合、ボタンはフォーム全体のコピーを生成する。更に、チケットもしくはクーポンなどの機密ドキュメント（ｓｅｃｕｒｅ  ｄｏｃｕｍｅｎｔ）の場合、ボタンは注釈（ｅｘｐｌａｎａｔｏｒｙ  ｎｏｔｅ）または広告ページを導出する。
【０１５１】
既定の単一ページ・コピー機能は適切なネットページ・ページサーバにより直接的に処理される。特定コピー機能は、ロゴ・ボタンをアプリケーションにリンクすることで処理される。
【０１５２】
１．９  ユーザ・ヘルプ・システム
好ましい実施形態において上記ネットページ・プリンタは、「ヘルプ」と名称表示された単一ボタンを有する。押圧されたときに該ボタンは、以下の情報の単一ページを導出する。
・プリンタ接続のステータス
・プリンタ消耗品のステータス
・トップレベル・ヘルプ・メニュー
・ドキュメント機能メニュー
・トップレベル・ネットページネットワーク・ディレクトリ。
【０１５３】
上記ヘルプ・メニューは、上記ネットページ・システムの使用法の階層的マニュアルを提供する。
上記ドキュメント機能メニューは、以下の機能を含む。
・ドキュメントのコピーの印刷
・フォームのクリーン・コピーの印刷
・ドキュメントのステータスの印刷。
【０１５４】
上記ドキュメント機能は、ボタンを単に押圧してからそのドキュメントの任意のページに触れるだけで開始される。ドキュメントのステータスは、ドキュメントを誰がいつ発行したか、誰に対して配布されたか、および、引き続きフォームとして誰にいつ提出されたかを示す。
【０１５５】
上記ネットページネットワーク・ディレクトリによればユーザは、ネットワーク上の刊行物およびサービスの階層を索行し得る。代替策としてユーザは、ネットページネットワーク「９００」番の「イエロー・ページ」を呼び出して、人的オペレータと話すことが可能である。オペレータは所望のドキュメントを見い出し、それをユーザのプリンタへとルーティングし得る。ドキュメントの種類に依存し、発行者もしくはユーザが僅かな「イエロー・ページ」サービス料金を支払う。
【０１５６】
上記ヘルプ・ページは明らかに、プリンタが印刷できなければ利用不能である。この場合には「エラー」ランプが点灯され、ユーザはネットワーク上での遠隔診断を要求し得る。
【０１５７】
２．  個人用発行モデル
以下の記述において、ニュースは上記ネットページ・システムにおける個別化メカニズムを例示する標準的な発行例として使用される。多くの場合、ニュースとは新聞および時事雑誌のニュースという限られた意味で使用されるが、此処で企図された範囲はそれより広い。
【０１５８】
上記ネットページ・システムにおいて、ニュース発行物の編集的内容および広告的内容は、異なるメカニズムを使用して個別化（ｐｅｒｓｏｎａｌｉｚｅ）される。編集的内容は、読者が明示的に述べた関心プロファイルおよび暗黙的に捕捉された関心プロファイルに従い個別化される。広告的内容は、読者の地域性および統計的データに従い個別化される。
【０１５９】
２．１  編集の個別化
加入者（ｓｕｂｓｃｒｉｂｅｒ）は、ニュース発行物（ｎｅｗｓ  ｐｕｂｌｉｃａｔｉｏｎ）を配布するニュース・ソースおよびニュース・ストリームを配布するニュース・ソースの２種類のニュース・ソースを利用し得る。ニュース発行物は発行者により集計かつ編集される一方、ニュース・ストリームはニュース発行者もしくは専門化されたニュース集計者（ｓｐｅｃｉａｌｉｚｅｄ  ｎｅｗｓ  ａｇｇｒｅｇａｔｏｒ）により集計される。ニュース発行物は一般的には従来の新聞および時事雑誌に対応するが、ニュース・ストリームは、ニュース・サービスからの「未処理」ニュース供給、風刺漫画片、フリーライターのコラム、友人用掲示板、または、読者所有の電子メールなどのように多様であり変化し得る。
【０１６０】
上記ネットページ発行サーバは、編集済みニュース発行物の発行ならびに複数のニュース・ストリームの集計をサポートする。読者により直接的に選択されたニュース・ストリームの集計を処理することにより、故にフォーマットを処理することにより、サーバは編集的内容を有さないページ上に広告を載置し得る。
【０１６１】
加入者は、一種類以上の寄稿ニュース発行物を選択することと、各々の個人版を生成することにより日刊紙を構築する。作成された日刊版は、印刷されて結合され、一冊の新聞となる。家庭の各人は一般的に、種々の日刊発行物を選択してからそれらをカスタマイズすることにより自身の種々の関心および嗜好を表現する。
【０１６２】
各発行物に対し、読者は選択的に特定欄を選択する。一定の欄は毎日発行され、他の欄は毎週発行される。ニューヨークタイムズ・オンラインから利用可能な毎日欄としては例えば、「ページワンプラス」、「国内」、「国際」、「意見」、「ビジネス」、「芸術／生活」、「テクノロジ」および「スポーツ」が挙げられる。利用可能な一群の欄は発行物に特有であり、既定の部分集合である。
【０１６３】
読者は、各々が任意の数のニュース・ストリームを利用するというカスタム欄を生成することにより、上記日刊紙を拡張し得る。カスタム欄は、電子メールおよび友人の告知（「パーソナル」）に対し、または、特定トピック（「警告」もしくは「クリッピング」）に対するニュース供給を監視すべく生成されることもある。
【０１６４】
各欄に対して読者は選択的に、そのサイズを質的に（例えば、短寸、中間もしくは長寸）または数値的に（すなわち、そのページ数の制限として）特定し、且つ、広告の所望割合を質的に（例えば多い、通常、少ない、無しなど）または数値的に（すなわち百分率として）指定する。
【０１６５】
読者はまた、多数の単文記事または少数の長文記事に対する選好性を選択的に表現する。各記事は理想的には、この選好性をサポートすべく単文形態および長文形態の両者で記載（もしくは編集）される。
【０１６６】
記事はまた、例えば子供用バージョンおよび成人用バージョンなどの様に、予測される読者の知識に整合すべく、異なるバージョンで記載（もしくは編集）され得る。適切なバージョンは、読者の年齢に依り選択される。読者は、その生物学的年齢に優先する「購読年齢」を指定し得る。
【０１６７】
各欄を構成する記事は編集者により選択かつ優先順位付けされ、各々には有効寿命が割り当てられる。既定によれば、それらは加入者のバージョンにおける空間制約を前提条件として、優先順に全ての関連加入者に配布される。
【０１６８】
適切な場合には各欄において、読者は選択的に協働的フィルタリングを有効化し得る。これは次に、十分に長い寿命を有する記事に適用される。協働的フィルタリングに適した各記事は、記事の最後における評価ボタンとともに印刷される。各ボタンは（例えば「好き」および「嫌い」などの）容易な選択を提供することにより、記事に対する読者の評価動作を更に確実にする。
【０１６９】
故に、高い優先順位と短い寿命とを有する記事は事実上、編集者により本質的な記事と見做され、殆どの関連する加入者に配布される。
読者は選択的に、質的に（例えば、驚かせて欲しいか驚かせて欲しくないか）もしくは数値的に、セレンディピティ係数（ｓｅｒｅｎｄｉｐｉｔｙ  ｆａｃｔｏｒ）を指定する。セレンディピティ係数が大きければ、協働的フィルタリングの間において整合の為に使用される閾値は低くなる。係数が大きいと、対応欄が読者指定の容量に対して埋め込まれる可能性は大きくなる。週の各曜日に対して異なるセレンディピティ係数が指定され得る。
【０１７０】
読者はまた、欄内において特に関心あるトピックを選択的に指定し、これにより、編集者に割り当てられる優先順位は改変される。
読者のインターネット接続の速度は、配布され得る画像の品質に影響する。読者は、より少ない画像もしくはより小寸の画像、またはその両者に対する選好性を選択的に指定する。もし画像の個数もしくはサイズが減少されなければ、各画像はより低品質（すなわち更に低い解像度もしくは更なる圧縮）で配布され得る。
【０１７１】
大域的レベルにて、読者は分量、日付、時間および通貨が如何にしてローカライズされるかを指定する。これは、単位が英国式もしくはメートルであるか、現地時間帯および時間フォーマット、および、現地通貨、および、その場における翻訳もしくは注釈から成るローカル化を指定することを含む。これらの選好性は、既定では読者の所在地から導かれる。
【０１７２】
低い視力による読取困難性を減少すべく、読者は選択的に大寸表示に対する大域的選好性（グローバル・プリファレンス）を指定する。故にテキストおよび画像の両者が拡大され、各ページに収容される情報は少なくなる。
【０１７３】
ニュース発行物が発行される言語およびその対応テキストコード化は、発行物の特性であり、ユーザにより表現された選好性ではない。但し、上記ネットページ・システムは種々の外観で自動翻訳サービスを提供すべく構成され得る。
【０１７４】
２．２  広告のローカル化およびターゲット選択
編集的内容の個別化は広告的内容に直接的に影響する、と言うのも、広告は一般的には編集的内容を活用すべく載置されるからである。例えば旅行広告は、他の場所よりも旅行欄に現れる可能性が高い。広告者に対する（故に発行者に対する）編集的内容の価値は、正しい統計的データにより多数の読者を惹き付ける能力に在る。
【０１７５】
効率的な広告は、所在地および統計的データに基づき載置される。所在地により、特定サービス、小売業者などに対する近接性、地域社会および環境に関する特定の関心および問題が決定される。統計的データに依れば、概略的な興味および関心、ならびに、可能な消費パターンが決定される。
【０１７６】
ニュース発行者の最も利益を生じる製品は、広告「空間」、すなわち、発行物の地理的包括範囲と、その読者数のスケールと、読者の統計的データと、広告に利用可能なページ領域とにより決定される多次元エンティティである。
【０１７７】
上記ネットページ・システムにおいて上記ネットページ発行サーバは、発行物の地理的包括範囲、その欄の読者数、各読者の欄編集のサイズ、各読者の広告割合および各読者の統計的データを考慮し、欄毎に、発行物の販売可能広告スペースの概略的多次元サイズを算出する。
【０１７８】
他のメディアと比較して上記ネットページ・システムに依れば、広告スペースが相当に詳細に定義され得ると共に、より小さな広告スペースが別個に販売され得る。故に広告スペースは、ほぼその真価にて販売され得る。
【０１７９】
例えば、同一の広告「スロット」が数人の広告者に対して種々の割合で販売され、個々の読者のページはひとりの広告者もしくは別の広告者の広告をランダムに受信し、全体的には各広告者に販売されたスペースの割合が維持されることも可能である。
【０１８０】
上記ネットページ・システムに依れば、詳細な製品情報およびオンライン購入に対して広告が直接的にリンクされ得る。
上記ネットページ発行サーバによれば個別化およびローカル化が自動的に処理されることから、広告集計者（ａｄｖｅｒｔｉｓｉｎｇ  ａｇｇｒｅｇａｔｏｒ）は地理的および統計的データの両者に関して任意に広範な包括範囲を提供し得る。引き続く分配も自動なので効率的である。これにより、発行者は広告を直接的に受けるよりも更にコスト効率的に広告集計者を利用できる。広告集計者は広告収入の一定割合を受けるが、発行者は集計のより高い効率のために変更利益は変わらないと理解するであろう。広告集計者は、広告者と発行者との間の仲介者として作用すると共に、同一広告を複数の発行物に載置し得る。
【０１８１】
発行物の広告スペースが更に複雑であることから、ネットページ刊行物における広告載置は発行物の従来の対応箇所における広告載置よりも更に複雑となり得ることに留意されたい。広告者、広告集計者および発行者の間における交渉の最大限の複雑さを無視するならば、上記ネットページ・システムの好ましい形態は、広告スペースの自動オークションに対するサポートなどの様にこれらの交渉に対する一定のサポートを提供する。僅かにもしくは高度にローカル化された広告などの様に僅かな量の収入を生み出す広告の載置を自動化することは特に望ましい。
【０１８２】
載置が交渉されたなら、集計者は広告を捕捉して編集し、それをネットページ広告サーバに記録する。対応して、発行者は広告載置を適切なネットページ発行サーバ上に記録する。上記ネットページ発行サーバが各ユーザの個別化発行物をレイアウトするとき、該サーバは適切な広告を上記ネットページ広告サーバから取り出す。
【０１８３】
２．３  ユーザ・プロファイル
２．３．１  情報フィルタリング
ニュースおよび他の発行物の個別化は、以下のユーザ特有プロファイル情報の取り合わせに基づく。
・発行物のカスタム化
・協働フィルタリング・ベクトル
・連絡詳細
・表示選好性
【０１８４】
発行物のカスタム化は一般的には発行物固有なので、カスタム化情報は適切なネットページ発行サーバにより保持される。
協働フィルタリング・ベクトル（ｃｏｌｌａｂｏｒａｔｉｖｅ  ｆｉｌｔｅｒｉｎｇ  ｖｅｃｔｏｒ）は、多数のニュース項目に対するユーザの評価から成る。それは、推薦を行うために異なるユーザの関心を相関すべく使用される。任意の特定発行物から独立して単一の協働フィルタリング・ベクトルを保持することに利点は在るが、各発行物に対して別体ベクトルを保持するのが更に実用的な２つの理由がある。すなわち、異なる発行物に対する各加入者のベクトル間よりも、同一の発行物に対する各加入者のベクトル間の方が更に重複する可能性が在り、且つ、発行物は、他では見られない当該発行物のブランドの価値の一部として、該発行物の各ユーザの協働フィルタリング・ベクトルを示したいものである。故に協働フィルタリング・ベクトルは、適切なネットページ発行サーバによっても保持される。
【０１８５】
氏名、住所、郵便番号、州、国、電話番号などの連絡詳細は、本来、大域的であり、ネットページ登録サーバにより保持される。
数量、日付および時間などの表示選好性も同様に大域的であり、同様に保持される。
【０１８６】
広告のローカル化はユーザの連絡詳細中に示された所在地に依存する一方、広告のターゲット選択は、誕生日、結婚状況、収入、職業、教育、または、年齢範囲および収入範囲などの質的派生物に依存する。
【０１８７】
広告目的に対して個人情報を明らかにすることを選択したユーザに対し、その情報は適切なネットページ登録サーバにより保持される。斯かる情報がなければ、広告はユーザの５桁郵便番号（Ｚｉｐ  Ｃｏｄｅ）もしくは９桁郵便番号（Ｚｉｐ＋４  Ｃｏｄｅ）に関連付けられた統計的データに基づきターゲット選択され得る。
【０１８８】
図２１、図２２、図２３および図２４に示された如く、各ユーザ、ペン、プリンタ、アプリケーション・プロバイダおよびアプリケーションにはそれ自身の一意的ＩＤが割り当てられ、上記ネットページ登録サーバはそれらの間の関係を保持する。登録目的で、発行者は特別な種類のアプリケーション・プロバイダであり、発行物は特別な種類のアプリケーションである。
【０１８９】
各ユーザ８００は任意台数のプリンタ８０２の使用が許可され、各プリンタは任意数のユーザによる使用を可能とする。（６６にて）各ユーザは、既定により定期発行物が配布される単一の既定プリンタを有する一方、オンデマンドで印刷されたページはユーザが対話を行うプリンタを介して配布される。上記サーバは、ユーザがどの発行者に対してユーザの既定プリンタでの印刷を許可したかの情報を有する。発行者は一切の特定プリンタのＩＤを記録しない代わりに、必要な場合にはそのＩＤを決定する。
【０１９０】
刊行物８０７に対してユーザが購読契約８０８したとき、発行者８０６（すなわちアプリケーション・プロバイダ８０３）は指定プリンタもしくはユーザの既定プリンタに対する印刷が許可される。この許可は、ユーザにより任意の時点で取り消され得る。各ユーザは数本のペン８０１を有し得るが、ペンは単一ユーザに対して特有である。もしユーザが特定プリンタの使用を許可されたなら、そのプリンタはそのユーザの各ペンの一切を認識する。
【０１９１】
ペンＩＤは、特定ネットページ登録サーバにより保持された対応ユーザ・プロファイルを通常手法でＤＮＳを介して見い出すべく使用される。
ウェブ端末８０９は特定ネットページ・プリンタで印刷することを許可され得ることから、ウェブ・ブラウジングの間に遭遇したウェブページおよびネットページ・ドキュメントは最も近いプリンタで好都合に印刷され得る。
【０１９２】
上記ネットページ・システムはプリンタ・プロバイダに代わり、そのプロバイダのプリンタで印刷された発行物により得られた収入に関する料金および手数料を集金し得る。斯かる収入としては、広告料金、クリックスルー料（ｃｌｉｃｋ−ｔｈｒｏｕｇｈ  ｆｅｅ）、電子商取引手数料および取引料金が挙げられる。もしプリンタがユーザにより所有されていれば、そのユーザはプリンタ・プロバイダである。
【０１９３】
各ユーザはまた、（先行段落にて記述された如き）細かい借方（ｄｅｂｉｔ）および貸方（ｃｒｅｄｉｔ）を蓄積すべく使用されるネットページ・アカウント８２０、氏名、住所および電話番号などの連絡詳細８１５、プライバシー、配布およびローカル化設定などの大域的選好性（ｇｌｏｂａｌ  ｐｒｅｆｅｒｅｎｃｅ）８１６、ユーザのコード化署名８１８、指紋８１９などを含む任意数のバイオメトリックレコード８１７、上記システムにより自動的に保持される筆跡モデル８１９、および、電子商取引支払いを行うためのＳＥＴ支払カード口座８２１も有する。
【０１９４】
２．３．２  お気に入りリスト
ネットページ・ユーザは、「お気に入り」のリスト９２２すなわちネットページネットワーク上の有用なドキュメントなどへのリンクを保持し得る。上記リストは、ユーザの代わりに上記システムにより保持される。それはフォルダ９２４の階層として構成されるが、その好ましい実施形態は図４１のクラス概念図に示される。
【０１９５】
２．３．３  履歴リスト
上記システムは各ユーザに代わり、該ネットページ・システムを介してユーザによりアクセスされたドキュメントなどに対するリンクを含む履歴リスト９２９を保持する。それは日付順リストとして構成され、その好ましい実施形態は図４２のクラス概念図に示される。
【０１９６】
２．４  インテリジェント・ページ・レイアウト
上記ネットページ発行サーバは、各ユーザの個別化発行物の各ページを欄毎に自動的にレイアウトする。殆どの広告は事前フォーマットされた矩形の形態であることから、それらは編集的内容に先立ってページ上に載置される。
【０１９７】
欄に対する広告比率はその欄内において個々のページに関する様々な広告比率により達成され得ると共に、広告レイアウト・アルゴリズムはこれを活用する。上記アルゴリズムは、日曜大工の屋根修理に関する記事内容なので、特にその発行物内で屋根用材料に対する広告を載置するなど、密接に関連する編集的内容および広告的内容の近接配置を試行すべく構成される。
【０１９８】
その場合、ユーザに対して選択されたテキストおよび関連する画像およびグラフィックなどの編集的内容は、種々の美観的規則に従いレイアウトされる。
ユーザが示した欄サイズの選好性を更に忠実に達成すべく、レイアウトが収束したなら、広告の選択および編集的内容の選択などのプロセス全体は反復されねばならない。但し、欄サイズ選好性は経時により平均的に整合され、日々の相当の変化を許容し得る。
【０１９９】
２．５  ドキュメント・フォーマット
ドキュメントがレイアウトされたなら、それはネットページネットワーク上での効率的配布および永続的記憶の為にコード化される。
主な効率的メカニズムは、単一ユーザの編集の特有情報と、複数のユーザの編集で共有される情報とを分離することである。上記特有情報は、ページ・レイアウトである。上記共有情報は、画像、グラフィックおよびテキストなどの、ページ・レイアウトにより参照されるオブジェクトから成る。
【０２００】
テキストオブジェクトは、拡張可能スタイルシート言語（ＸＳＬ）を使用して拡張可能マークアップ言語（ＸＭＬ）で表された完全フォーマット化テキストを含む。ＸＳＬは、この場合にはレイアウトにより提供される領域であってテキストが設定される領域から独立してテキスト・フォーマットを正確に制御する。テキストオブジェクトは、自動翻訳を可能とする埋設言語コードと、パラグラフ・フォーマット化を助力する埋設ハイフネーション・ヒントとを含む。
【０２０１】
画像オブジェクトは、ＪＰＥＧ２０００ウェーブレット式圧縮画像フォーマットで画像をコード化する。グラフィックオブジェクトは、スケーラブル・ベクトル・グラフィックス（ＳＶＧ）フォーマットで２Ｄグラフィックをコード化する。
【０２０２】
レイアウト自体は、載置された一連の、画像およびグラフィックオブジェクト、テキストオブジェクトが流れるべくリンクされたテキストフローオブジェクト、上記のハイパーリンクおよび入力フィールド、および、透かし模様領域（ｗａｔｅｒｍａｒｋ  ｒｅｇｉｏｎ）から成る。これらのレイアウトオブジェクトは、表３に要約される。レイアウトは、効率的な配布および記憶に適したコンパクトなフォーマットを使用する。
【表３】
0004663131.tif 000004
【０２０３】
２．６  ドキュメントの配布
上述の如く、効率的配布およびネットページネットワークにおける永続的記憶の為に、ユーザ特有ページ・レイアウトは該レイアウトが参照する共有オブジェクトから分離される。
【０２０４】
予約発行物の配布の準備ができたとき、ネットページ発行サーバはネットページＩＤサーバ１２の助けを受け、各ページに対する一意的ＩＤ、ページインスタンス、ドキュメントおよびドキュメントインスタンスを割り当てる。
【０２０５】
上記サーバは共有コンテンツの一群の最適化部分集合を算出して各部分集合に対してマルチキャスト・チャネルを生成してから、各ユーザ特有レイアウトにより使用される共有コンテンツを担持するマルチキャスト・チャネルの名称により各ユーザ特有レイアウトをタグ付けする。次にサーバは適切なページサーバを介して各ユーザのレイアウトをそのユーザのプリンタにポイントキャストし、そのポイントキャストが完了したとき、上記特定チャネル上で上記共有コンテンツをマルチキャストする。各ページサーバおよびプリンタは、そのポイントキャストを受信した後、ページ・レイアウト中で特定されたマルチキャスト・チャネルに加入する。マルチキャストの間、各ページサーバおよびプリンタはそのページ・レイアウトにより参照されたオブジェクトをマルチキャスト・ストリームから抽出する。各ページサーバは、受信したページ・レイアウトおよび共有コンテンツを永続的にアーカイブする。
【０２０６】
プリンタは、そのページ・レイアウトが参照するオブジェクトの全てを受信したなら、完全に載置されたレイアウトを再生成してからラスタライズし、それを印刷する。
【０２０７】
通常状況下で、プリンタは配達されるよりも高速にページを印刷する。各ページの１／４が画像で被覆されると仮定すると、平均ページのサイズは４００ＫＢ未満である。故に上記プリンタは、その内部６４ＭＢメモリ内に斯かるページを１００頁以上保持し、一時的バッファなどを許容する。上記プリンタは、１頁／秒の速度で印刷する。これは毎秒で４００ＫＢもしくは約３Ｍビットのページデータに等しく、ブロードバンド・ネットワーク上におけるページデータ配布の最高期待速度と同様である。
【０２０８】
プリンタの用紙が尽きたなどの異常状況下であっても、プリンタの１００頁の内部記憶容量が足りなくなる前にユーザが用紙供給を補充する可能性は高い。
但し、プリンタの内部メモリが満杯となれば、マルチキャストが初めて生じたときでもマルチキャストを利用できない。故に上記ネットページ発行サーバはプリンタに対し、再マルチキャストの要求を提出することを許容する。臨界数の要求を受信するか又はタイムアウトが生じたとき、上記サーバは対応する共有オブジェクトを再マルチキャストする。
【０２０９】
ドキュメントが印刷されたなら、プリンタは任意の時点でそのページ・レイアウトおよびコンテンツを適切なページサーバから検索することで厳密な複製を生成し得る。
【０２１０】
２．７  オンデマンド・ドキュメント
ネットページ・ドキュメントがオンデマンドで要求されたとき、それは定期発行物と殆ど同様に個別化して配布され得る。但し共有コンテンツが無いので、配布はマルチキャストを使用せずに、要求しているプリンタへと直接的に行われる。
【０２１１】
非ネットページ・ドキュメントがオンデマンドで要求されたとき、該ドキュメントは個別化され、且つ、該ドキュメントは、該ドキュメントをネットページ・ドキュメントとして再フォーマットすべく指定されたネットページ・フォーマッティング・サーバを介して配布される。ネットページ・フォーマッティング・サーバは、ネットページ発行サーバの特殊インスタンスである。上記ネットページ・フォーマッティング・サーバは、アドビ（Ａｄｏｂｅ）のポータブル・ドキュメント・フォーマット（ＰＤＦ）、およびハイパーテキスト・マークアップ言語（ＨＴＭＬ）などの種々のインターネット・ドキュメント・フォーマットを認識する。ＨＴＭＬの場合、印刷されたページの更に高い解像度を利用し、マルチコラム・フォーマットでコンテンツの表によってウェブページを表現し得る。それは、要求されたページに直接的にリンクされた全てのウェブページを自動的に含み得る。ユーザはこの挙動を、選好性により調整し得る。
【０２１２】
上記ネットページ・フォーマッティング・サーバは、起源およびフォーマットに関わらず一切のインターネット・ドキュメントで利用可能な対話性および持続性などの標準的なネットページ挙動を行う。該サーバは、ネットページ・プリンタおよびネットページ・ページサーバの両者に対して種々のドキュメント・フォーマットの関連情報を隠すと共に、ウェブサーバに対してはネットページ・システムの関連情報を隠す。
【０２１３】
３．  セキュリティ
３．１  暗号作成法
暗号作成法は、記憶および送受信の両者において機密的な情報を保護すると共に、トランザクションに対して各関係者を認証すべく使用される。普及した用途においては、秘密キー暗号作成法および公開キー暗号作成法の２種類の暗号作成法が在る。上記ネットページネットワークは双方の種類の暗号作成法を使用する。
【０２１４】
対称的暗号作成法とも称される秘密キー式暗号作成法は、メッセージの暗号化および復号化の双方に同一キーを使用する。メッセージの交換を意図する２人の関係者は先ず、秘密キーを機密的に交換すべく手配せねばならない。
【０２１５】
非対称的暗号作成法とも称される公開キー式暗号作成法は、２つの暗号化キー（ｅｎｃｒｙｐｔｉｏｎ  ｋｅｙ）を使用する。これらの２個のキーは、一方のキーを使用して暗号化された一切のメッセージは他方のキーを使用してのみ復号化され得る如く、数学的に関連付けられる。次にこれらのキーの一方が公開され、他方のキーは非公開のままとされる。上記公開キーは、上記非公開キー（ｐｒｉｖａｔｅ  ｋｅｙ）の保持者に対して意図された任意のメッセージを暗号化すべく使用される。上記公開キーを使用して暗号化されたなら、メッセージは上記非公開キーを使用してのみ復号化され得る。故に２人の関係者は、最初に秘密キーを交換すること無く、メッセージを機密的に交換し得る。上記非公開キーが機密的なことを確実にすべく、上記非公開キーの保持者はキーの対を生成するのが通常である。
【０２１６】
公開キー式暗号作成法は、デジタル署名を生成すべく使用され得る。非公開キーの保持者はメッセージの既知ハッシュを生成してから、そのハッシュ（ｈａｓｈ）を非公開キーを使用して暗号化し得る。任意の関係者は次に、上記公開キーを使用して上記暗号化済ハッシュを復号化すると共に特定メッセージに対するハッシュを照合することにより、上記暗号化済ハッシュが上記特定メッセージに関する非公開キーの保持者の「署名」を構成することを照合し得る。もし上記署名が上記メッセージにアペンドされたなら、そのメッセージの受領者は、そのメッセージが真正であること及びそれが送受信中に改竄されなかっとことの双方を確認し得る。
【０２１７】
公開キー式暗号作成法を機能させるためには、偽装を防止して公開キーを配布する手法が存在すべきである。これは通常、証明書および証明書発行機関（ｃｅｒｔｉｆｉｃａｔｅ  ａｕｔｈｏｒｉｔｙ）を使用して行われる。証明書発行機関は、公開キーと該当者のＩＤとの間の関連性を認証すべく委託された第三者である。証明書発行機関はＩＤドキュメントを検証して対象者のＩＤを照合してから、その対象者のＩＤの詳細および公開キーを含むデジタル証明書を生成して署名する。上記証明書発行機関を信任する者は、真正であることの高度な確実性を以て証明書内の公開キーを使用し得る。これらの者は、当該証明書発行機関の公開キーが公知である証明書発行機関により上記証明書が実際に署名されたことのみを照合せねばならない。
【０２１８】
殆どの取引環境において公開キー式暗号作成法は、デジタル署名を生成し、且つ、秘密セッション・キーを機密的に交換する為にのみ使用される。秘密キー式暗号作成法は、他の全ての目的に使用される。
【０２１９】
以下の説明において、ネットページ・プリンタとサーバとの間の情報の機密的な送信に対して参照したときに実際に生ずるのは、プリンタはサーバの証明書を獲得し、証明書発行機関に関してそれを認証し、上記証明書内の公開キー用交換キーを使用してサーバと秘密セッション・キーを交換し、その後に上記秘密セッション・キーを使用してメッセージ・データを暗号化する、ということである。定義により、セッションキーは任意に短い寿命を有し得る。
【０２２０】
３．２  ネットページ・プリンタのセキュリティ
各ネットページ・プリンタには一対の一意的ＩＤが製造時に割り当てられるが、これらはプリンタおよびネットページ登録サーバ・データベース内の読出専用メモリに記憶される。第１のＩＤ６２は公開であり、ネットページネットワーク上でプリンタを一意的に識別する。第２のＩＤは秘密であり、プリンタがネットワーク上で最初に登録されるときに使用される。
【０２２１】
インストールの後でネットページネットワークに対して最初にプリンタが接続されるとき、それは署名公開／非公開キーの対を生成する。プリンタは、ネットページ登録サーバに対して秘密ＩＤおよび公開キーを機密的に送信する。サーバはその秘密ＩＤを、自身のデータベース内に記録されたそのプリンタの秘密ＩＤと比較し、もし各ＩＤが整合すれば登録を受け入れる。サーバは次に、プリンタの公開ＩＤおよび公開署名キーを含む証明書を生成かつ署名し、その証明書を登録用データベースに記憶する。
【０２２２】
上記ネットページ登録サーバは各ネットページ・プリンタに対する証明書発行機関として機能する、と言うのも、該サーバはプリンタＩＤの照合を可能とする秘密情報にアクセスし得るからである。
【０２２３】
ユーザが発行物に加入したときにはネットページ登録サーバ・データベース内にレコードが生成されることから、発行者はユーザの既定プリンタもしくは指定プリンタに対して発行物を印刷することが許可される。ページサーバを介してプリンタに送信された全てのドキュメントは、特定ユーザに宛てられると共に、発行者の非公開署名キーを使用してその発行者により署名される。上記ページサーバは上記登録用データベースを介し、発行者がその発行物を上記特定ユーザに対して配布することを許可されていることを確認する。上記ページサーバは、上記登録用データベースに記憶された上記発行者の証明書から獲得された発行者の公開キーを使用して、署名を確認する。
【０２２４】
上記ネットページ登録サーバは、上記データベースに対して印刷許可を付加するとの要求がそのプリンタに対して登録されたペンを介して開始されたものである限り、該要求を受け入れる。
【０２２５】
３．３  ネットページ・ペンのセキュリティ
各ネットページ・ペンには製造時に一意的ＩＤが割り当てられ、これは該ペンとネットページ登録サーバ・データベースとの読出専用メモリ内に記憶される。ペンＩＤ６１は、ネットページネットワーク上でペンを一意的に識別する。
【０２２６】
１本のネットページ・ペンは多数のネットページ・プリンタを「認識」し得ると共に、１台のプリンタは多数のペンを「認識」し得る。ペンは、それがプリンタの有効範囲内に在るならば、無線周波信号を介してプリンタと通信する。ペンおよびプリンタが登録されたなら、それらはセッション・キーを定期的に交換する。ペンがプリンタに対してデジタルインクを送信するときは常に、デジタルインクは適切なセッション・キーを使用して暗号化される。デジタルインクが平文で送信されることは無い。
【０２２７】
ペンは自身が認識する全てのプリンタに対し、プリンタＩＤにより索引付けされたセッション・キーを記憶し、且つ、プリンタは自身が認識する全てのペンに対し、ペンＩＤにより索引付けされたセッション・キーを記憶する。両者は、各セッション・キーに対して大きいが有限の記憶容量を有し、かつ必要であれば最も以前に使用されたセッション・キーは喪失する。
【０２２８】
ペンがプリンタの有効範囲内に来たとき、ペンおよびプリンタはそれらが相互に認識するか否かを確認する。もしそれらが相互に認識しなければ、プリンタは自身がそのペンを認識すべきか否かを判断する。これは例えば、そのペンが該プリンタを使用すべく登録されたユーザに属し得るからである。もしプリンタがそのペンを認識することが企図されながらも認識しないのであれば、プリンタは自動ペン登録処理を開始する。もしプリンタがそのペンを認識することが企図されなければ、プリンタは、そのペンが充電カップ（ｃｈａｒｇｉｎｇ  ｃｕｐ）内に載置されるまでそのペンを無視することに同意し、載置された時点でプリンタは上記登録処理を開始する。
【０２２９】
その公開ＩＤに加え、ペンは秘密キー用交換キーを含む。このキー交換キーもまた、製造時に上記ネットページ登録サーバ・データベースに記録される。登録の間、ペンはそのペンＩＤをプリンタに送信し、プリンタはペンＩＤを上記ネットページ登録サーバに送信する。上記サーバは、上記プリンタおよびペンが使用すべくセッション・キーを生成し、そのセッション・キーをプリンタへと機密的に送信する。サーバはまた、ペンのキー交換キーにより暗号化された上記セッション・キーのコピーも送信する。上記プリンタはペンＩＤにより索引付けされたセッション・キーを内部的に記憶すると共に、暗号化されたセッション・キーを上記ペンに送信する。該ペンは、上記プリンタＩＤにより索引付けされた上記セッション・キーを内部的に記憶する。
【０２３０】
偽造ペンはペン登録プロトコルにおいてペンを偽装し得るが、プリンタにより送信された上記セッション・キーを復号化し得るのは真性ペンのみである。
それまでに未登録のペンが最初に登録されるとき、そのペンはユーザに対してリンクされるまでは用途が限られる。登録されているが「所有されていない」ペンは、ネットページ・ユーザおよびペン登録フォームの要求及び記入、新たなペンが自動的にリンクされる新ユーザの登録、又は、新たなペンの既存ユーザへの付加のみに使用されることが許容される。
上記ペンは、ペンにおけるハードウェア性能の制約の故に、公開キーでは無く秘密キーの暗号化を使用する。
【０２３１】
３．４  機密ドキュメント
上記ネットページ・システムは、チケットおよびクーポンなどの機密ドキュメントの配布をサポートする。上記ネットページ・プリンタは透かし模様を印刷する機器を含むが、それを行うのは適切に許可された発行者からの要求時のみである。発行者は、プリンタが認証し得る発行者の証明書において透かし模様を印刷する権限を示す。
【０２３２】
「透かし模様」印刷プロセスはページ中で特定された「透かし模様」領域内の交互的なディザ・マトリクス（ｄｉｔｈｅｒ  ｍａｔｒｉｘ）を使用する。背中合わせの各ページは、印刷されたときに一致する鏡像的透かし模様領域を含む。奇数および偶数頁で使用されるディザ・マトリクスは、印刷されたシートを介して透かし見ることにより達成される如く、各領域が一緒に視認されたときに干渉効果を生成すべく設計される。
【０２３３】
上記効果は、頁の一方の側を見たときには不可視であり且つその頁が通常手段によりコピーされたときには喪失される透かし模様と類似している。
機密ドキュメントの各ページは、上記の第１．９節で記述された内蔵のネットページ・コピー機構を使用してもコピーされ得ない。このことは、ネットページが認識するコピー機上におけるネットページのコピーにも拡張される。
【０２３４】
機密ドキュメントは一般的には、電子商取引トランザクションの一部として生成される。故にこれらのドキュメントは、上記の第２節で記述された如くネットページ登録サーバに対してバイオメトリック情報をユーザが登録するときに得られたユーザの写真を含み得る。
【０２３５】
機密ネットページ・ドキュメントが呈示されたとき、受領者はそのステータスを通常手法で要求することにより、その正真性を確認し得る。機密ドキュメントの一意的ＩＤはそのドキュメントの寿命に対してのみ有効であり、且つ、機密ドキュメントＩＤは非連続的に割り当てられることで、偶然的な捏造者により予測されることが防止される。呈示された時点での容易なドキュメント照合をサポートすべく、照合が不首尾の場合の内蔵フィードバックにより機密ドキュメントを照合する為のペンが開発され得る。
【０２３６】
明らかに、暗号的な意味では上記透かし模様もユーザの写真も安全でない。それらは単に、安易な偽造に対する相当の障害を与えるに過ぎない。特に照合用ペンを使用するオンラインでのドキュメント照合は、必要な場合にセキュリティのレベルを付加するが、偽造に対して完全に対策が施されたわけではない。
【０２３７】
３．５  非拒絶
上記ネットページ・システムにおいて、ユーザにより提出されたフォームはフォーム処理者に対して信頼性高く配布されると共に、ネットページ・ページサーバ上で永続的に記録保管される。故に、受領者は配布を拒絶（ｒｅｐｕｄｉａｔｅ）し得ない。
第４節で記述される如く、上記システムを介して為される電子商取引の支払いもまた、被支払人は拒絶し得ない。
【０２３８】
４．  電子商取引モデル
４．１  機密電子取引（ＳＥＴ）
上記ネットページ・システムはその支払いシステムのひとつとして、機密電子取引（Ｓｅｃｕｒｅ  Ｅｌｅｃｔｒｏｎｉｃ  Ｔｒａｎｓａｃｔｉｏｎ）（ＳＥＴ）を使用する。マスターカード（ＭａｓｔｅｒＣａｒｄ）およびビザ（Ｖｉｓａ）により開発されたＳＥＴは支払カードに関して構成され、このことは用語に反映される。但し、上記システムの多くは、使用される口座の種類に依存しない。
【０２３９】
ＳＥＴにおいて、カード保持者および商店は証明書発行機関に登録されると共に、両者の公開署名キーを含む各証明書が発行される。証明書発行機関は、適切ならカード発行者によるカード保持者の登録詳細を照合し、且つ、適切なら取得者による商店の登録詳細を照合する。カード保持者および商店は夫々の非公開署名キーを夫々のコンピュータ内に機密的に記憶する。支払いプロセスの間においてこれらの証明書は、商店およびカード保持者を相互に認証し、両者を支払いゲートウェイに対して認証すべく使用される。
【０２４０】
ＳＥＴは未だ広く採用されていないが、このことは部分的に、キーおよび証明書に対するカード保持者の保守が面倒と考えられるからである。サーバ上でカード保持者のキーおよび証明書を保持すると共にパスワードを介してカード保持者をアクセスさせる暫定的解決策は、一定の成功を収めている。
【０２４１】
４．２  ＳＥＴ支払い
上記ネットページ・システムにおいて上記ネットページ登録サーバは、ＳＥＴ支払いトランザクションにおけるネットページ・ユーザ（すなわちカード保持者）に対する代理人として作用する。
【０２４２】
上記ネットページ・システムは、ユーザを認証してＳＥＴ支払いを許可すべくバイオメトリック値を使用する。上記システムはペン式であることから、使用されるバイオメトリック値は経時的に変化するペン位置および圧力から成るユーザのオンライン署名である。更に高コストではあるが、ペン内に指紋センサを設計することにより指紋バイオメトリックも使用され得る。使用されるバイオメトリックの種類は、上記システムの権限付与の態様では無く、バイオメトリック物の獲得のみに影響する。
【０２４３】
ＳＥＴ支払いを可能とするための最初の段階は、ユーザのバイオメトリック値を上記ネットページ登録サーバに登録することである。これは例えば、ユーザのＩＤが照合されるのと同時にバイオメトリック値が捕捉され得る銀行などの管理環境において行われる。バイオメトリック値は捕捉されると共に上記登録用データベースに記憶され、且つ、ユーザのレコードにリンクされる。ユーザの写真もまた選択的に捕捉され、上記レコードにリンクされる。上記ＳＥＴカード保持者の登録処理は完了され、結果的な非公開署名キーおよび証明書は上記データベース内に記憶される。ユーザの支払いカード情報も記憶され、任意のＳＥＴ支払いトランザクションにおいてユーザの代理人として作用するための十分な情報が上記ネットページ登録サーバに与えられる。
【０２４４】
ユーザが例えばネットページ注文フォームに署名するなどして最終的にバイオメトリック値を供給して支払いを完了したとき、上記プリンタは上記注文情報、ペンＩＤおよびバイオメトリック値データを上記ネットページ登録サーバに機密的に送信する。上記サーバは上記ペンＩＤにより識別されたユーザに関するバイオメトリック値を照合し、それ以降はＳＥＴ支払いトランザクションを完了する際にユーザの代理人として作用する。
【０２４５】
４．３  小額支払い
上記ネットページ・システムは微小支払い（ｍｉｃｒｏ−ｐａｙｍｅｎｔ）に対するメカニズムを含むことから、オンデマンドによる低コスト・ドキュメントの印刷および著作権ドキュメントのコピーに対してユーザは好都合に課金され得ると共に、可能的には、ユーザは広告情報を印刷する際に蒙る費用の払い戻しを受け得る。後者は、ユーザに対して既に提供された報酬金のレベルに依存する。
【０２４６】
ユーザが電子商取引に対して登録したとき、微小支払いを集計するネットワーク口座が確立される。ユーザは定期的に計算書を受けると共に、標準的支払機構を使用して一切の未決振込残高を決済し得る。
上記ネットワーク口座は、定期刊行物に対する購読料金を集計する為に拡張され、これもまた個々の計算書の形態でユーザに呈示される。
【０２４７】
４．４  トランザクション
ユーザが特定のアプリケーション・コンテキストにおいてネットページを要求したとき、そのアプリケーションはそのページにユーザ特有トランザクションＩＤ５５を埋設し得る。そのページを介した引き続く入力は上記トランザクションＩＤによりタグ付けされ、これにより上記アプリケーションはそのユーザの入力に対する適切なコンテキスト（ｃｏｎｔｅｘｔ）を確立し得る。
【０２４８】
但し、ユーザ特有でないページを介して入力が生じたとき、アプリケーションはコンテキストを確立すべくユーザの一意的ＩＤを使用せねばならない。一般的な例としては、事前印刷されたカタログ・ページからのアイテムをユーザの仮想「ショッピング・カート」に追加することが挙げられる。但しユーザのプライバシーを保護すべく、上記ネットページ・システムに認識された一意的ユーザＩＤ６０は各アプリケーションに対して公表されない。これは、種々のアプリケーション・プロバイダが、個別に蓄積された挙動データを容易に相関させるのを防止するためである。
【０２４９】
図２４に示された如く上記ネットページ登録サーバは、代わりに、ユーザとアプリケーションとの間の匿名な関係を一意的エイリアスＩＤ６５により保持する。「登録済」属性によりタグ付けされたハイパーリンクをユーザが起動するときは常に、上記ネットページ・ページサーバは上記ネットページ登録サーバに対し、関連するアプリケーションＩＤ６４をペンＩＤ６１と共にエイリアスＩＤ６５に翻訳することを要求する。つぎに上記エイリアスＩＤは、そのハイパーリンクのアプリケーションへと提出される。
【０２５０】
上記アプリケーションは、エイリアスＩＤにより索引付けされた状態情報を保持すると共に、ユーザのグローバルＩＤを認識することなくユーザ特有の状態情報を検索し得る。
【０２５１】
上記システムはまた、ユーザの各アプリケーションに対する個別の証明書および非公開署名キーを保持することから、該システムはユーザに代わりアプリケーション特有情報のみを使用してアプリケーション・トランザクションに署名し得る。
【０２５２】
上記システムが製品バーコード（ＵＰＣ）「ハイパーリンク」起動をルーティングするのを支援すべく、上記システムは任意数の製品種類に対してユーザの代わりに好適アプリケーションを記録する。
【０２５３】
各アプリケーションにはアプリケーション・プロバイダが関連付けられ、且つ、上記システムは各アプリケーション・プロバイダに代わりアカウントを保持することから、該システムはクリックスルー料などに対してプロバイダに対して振込み及び振込み受領を行い得る。
【０２５４】
アプリケーション・プロバイダは、定期購読コンテンツの発行者であり得る。上記システムは、予約発行物を受信するユーザの同意ならびに期待される発行物の頻度を記録する。
【０２５５】
４．５  リソース記述および著作権
図４０には、リソース記述クラス概念図の好ましい実施形態が示される。
各ドキュメントおよびコンテンツオブジェクトは一個以上のリソース記述８４２により記述され得る。リソース記述は、電子リソースの発見を促進すべく設計されたダブリン・コア・メタデータ要素群（Ｄｕｂｌｉｎ  Ｃｏｒｅ  ｍｅｔａｄａｔａ  ｅｌｅｍｅｎｔ  ｓｅｔ）を使用する。ダブリン・コア・メタデータは、ワールドワイドウェブ・コンソーシアム（Ｗ３Ｃ）リソース記述フレームワーク（ＲＤＦ）に準ずる。
【０２５６】
リソース記述は、権利保有者９２０を識別し得る。上記ネットページ・システムは、ユーザが著作権コンテンツを印刷したときは自動的に著作権使用料をユーザから権利保有者へと移転する。
【０２５７】
５．  通信プロトコル
通信プロトコルは、各エンティティ間におけるメッセージの規則正しい交換を定義する。上記ネットページ・システムにおい、ペン、プリンタおよびサーバなどのエンティティは一群の定義プロトコルを利用し、ネットページ・システムに対するユーザの対話を協働的に処理する。
【０２５８】
各プロトコルはシーケンス図として例示され、各図において水平次元はメッセージ・フローを表すべく使用され、垂直次元は時間を表すべく使用される。各エンティティは、そのエンティティの名称を含む矩形と、そのエンティティの生命線を表す垂直柱とにより表される。エンティティが存在する時間の間は、その生命線は点線として表される。エンティティがアクティブである時間の間は、生命線は二重線で示される。此処で考慮される各プロトコルはエンティティを生成も破壊もしないことから、各生命線は概して、エンティティがプロトコルへの参加を中止すれば直ちに途中で止められる。
【０２５９】
５．１  購読配信プロトコル
図４３には、購読配信プロトコルの好ましい実施形態が示される。
多数のユーザが定期発行物を購読し得る。各ユーザのバージョンは別個にレイアウトされ得るが、多くのユーザのバージョンはテキストオブジェクトおよび画像オブジェクトなどの共通コンテンツを共有する。故に上記購読配信プロトコルは個々のプリンタに対してポイントキャストを介してドキュメント構造を配布するが、マルチキャストにより共有コンテンツオブジェクトを配布する。
【０２６０】
アプリケーション（すなわち発行者）は先ず、各ドキュメントに対するドキュメントＩＤ５１をＩＤサーバ１２から獲得する。アプリケーションは次に、ドキュメントの新たに割り当てられたＩＤを招くページサーバ１０へ、ドキュメントＩＤおよびページ記述などを含む各ドキュメント構造を送信する。該構造は、アプリケーション自身のアプリケーションＩＤ６４、加入者のエイリアスＩＤ６５、および、適切な群のマルチキャスト・チャネル名称を含む。アプリケーションは、その非公開署名キーを使用してメッセージに署名する。
【０２６１】
上記ページサーバは上記アプリケーションＩＤおよびエイリアスＩＤを使用して上記登録サーバから、対応するユーザＩＤ６０、ユーザが選択したプリンタＩＤ６２（これは、アプリケーションに対して明示的に選択され得るか、ユーザの既定プリンタとされ得る）、および、アプリケーションの証明書を獲得する。
【０２６２】
上記アプリケーションの証明書に依ればページサーバは、メッセージ署名を確認し得る。もし上記アプリケーションＩＤおよびエイリアスＩＤが協働して購読契約８０８を識別しなければ、登録サーバに対するページサーバの要求は不首尾となる。
【０２６３】
上記ページサーバは次にドキュメントおよびページインスタンスＩＤを割り当て、各ページＩＤ５０を含むページ記述をプリンタへと送信する。上記ページ記述は、プリンタが傾聴すべき適切な群のマルチキャスト・チャネル名称を含む。
【０２６４】
ページサーバは次に、新たに割り当てられたページＩＤを将来的参照の為にアプリケーションへと返信する。
加入者が選択したプリンタに対して適切なページサーバを介して全てのドキュメント構造をアプリケーションが配布したなら、該アプリケーションは先に選択されたマルチキャスト・チャネル上で種々の共有オブジェクトの部分集合をマルチキャストする。各ページサーバおよび各プリンタはいずれも、適切な各マルチキャスト・チャネルを監視し、必要とする各コンテンツオブジェクトを受信する。各ページサーバおよび各プリンタはそのときに、先にポイントキャストされたドキュメント構造を載置し得る。これにより各ページサーバはそれらのデータベースに対して完全ドキュメントを付加し得ると共に、各プリンタは各ドキュメントを印刷し得る。
【０２６５】
５．２  ハイパーリンク起動プロトコル
図４５には、ハイパーリンク起動プロトコルの好ましい実施形態が示されている。
ユーザがネットページ・ペンによりネットページをクリックしたとき、ペンはそのクリックを最も近いネットページ・プリンタ６０１へと通信する。このクリックは、ページと該ページ上の所在位置とを識別する。プリンタは既に、ペン接続プロトコルからペンのペンＩＤ６１を認識している。
【０２６６】
プリンタはＤＮＳを介し、特定ページＩＤ５０を処理するページサーバ１０ａのネットワーク・アドレスを決定する。もしユーザが最近において同一ページと対話したなら、上記アドレスは既にそのキャッシュ内に存在する。プリンタは次にページサーバに対し、ペンＩＤ、自身のプリンタＩＤ６２、ページＩＤ、および、クリック位置を送信する。
【０２６７】
ページサーバは上記ページＩＤにより識別されたページ記述５をロードすると共に、もし在れば、どの入力用エレメントの区域５８にクリックが存するかを決定する。適切な入力用エレメントがハイパーリンクエレメント８４４であると仮定すれば、ページサーバは次に関連するアプリケーションＩＤ６４およびリンクＩＤ５４を獲得し、且つ、アプリケーション７１を運営しているアプリケーション・サーバのネットワーク・アドレスをＤＮＳを介して決定する。
【０２６８】
上記ページサーバはペンＩＤ６１を使用して、対応するユーザＩＤ６０を登録サーバ１１から獲得してから、グローバル一意ハイパーリンク要求ＩＤ（ｇｒｏｂａｌｌｙ  ｕｎｉｑｕｅ  ｈｙｐｅｒｌｉｎｋ  ｒｅｑｕｅｓｔ  ＩＤ）５２を割り当てると共にハイパーリンク要求９３４を構築する。図４４には、ハイパーリンク要求クラス概念図が示されている。上記ハイパーリンク要求は要求を行うユーザおよびプリンタの各ＩＤを記録すると共に、クリックされたハイパーリンクインスタンス８６２を識別する。上記ページサーバは次に、それ自身のサーバＩＤ５３、ハイパーリンク要求ＩＤおよびリンクＩＤをアプリケーションへと送信する。
【０２６９】
上記アプリケーションは、アプリケーション特有ロジックに従い応答ドキュメントを生成して、ＩＤサーバ１２からドキュメントＩＤ５１を獲得する。アプリケーションは次に上記ドキュメントを、そのドキュメントの新たに割り当てられたＩＤを招くページサーバ１０ｂに対し、要求を行っているページサーバのＩＤおよびハイパーリンク要求ＩＤと共に送信する。
【０２７０】
第２のページサーバは上記ハイパーリンク要求ＩＤおよびアプリケーションＩＤを上記第１のページサーバに送信して、対応するユーザＩＤおよびプリンタＩＤ６２を獲得する。上記ハイパーリンク要求が失効しているか又は異なるアプリケーションに対するものであれば、上記第１ページサーバは上記要求を拒絶する。
【０２７１】
上記第２ページサーバは、ドキュメントインスタンスおよびページＩＤ５０を割り当て、新たに割り当てられたページＩＤをアプリケーションに返信し、完全なドキュメントを自身のデータベースに付加し、且つ、最終的にはページ記述を要求プリンタへと送信する。
【０２７２】
上記ハイパーリンクインスタンスは有意なトランザクションＩＤ５５を含み得るが、その場合に上記第１ページサーバはアプリケーションに送信されたメッセージ内にトランザクションＩＤを含む。これによりアプリケーションは、ハイパーリンク起動に対するトランザクション特有コンテキストを確立する。
【０２７３】
もし上記ハイパーリンクがユーザ・エイリアスを要求し、すなわちその「エイリアス要求」属性が設定されていれば、上記第１ページサーバはペンＩＤ６１とハイパーリンクのアプリケーションＩＤ６４との両者を登録サーバ１１に送信し、上記ペンＩＤに対応するユーザＩＤだけでなく、上記アプリケーションＩＤおよびユーザＩＤに対応するエイリアスＩＤ６５も獲得する。第１ページサーバは、アプリケーションに送信されるメッセージ内にエイリアスＩＤを含めることから、アプリケーションは上記ハイパーリンク起動に対してユーザ特有コンテキストを確立し得る。
【０２７４】
５．３  手書き認識プロトコル
ユーザがネットページ・ペンによりネットページ上でストロークを描いたとき、そのペンはそのストロークを最も近いネットページ・プリンタへと通信する。このストロークは、ページと該ページ上の経路とを識別する。
【０２７５】
プリンタは通常手法にて、ペンＩＤ６１、自身のプリンタＩＤ６２、ページＩＤ５０およびストローク経路をページサーバ１０に送信する。
上記ページサーバはページＩＤにより識別されたページ記述５をロードすると共に、もしあれば、どの入力用エレメントの区域５８とストロークが交差するかを決定する。適切な入力用エレメントがテキストフィールド８７８とすると、上記ページサーバは上記ストロークを上記テキストフィールドのデジタルインクにアペンドする。
【０２７６】
上記テキストフィールドの区域における所定期間の非活動状態の後、上記ページサーバは解読のために上記ペンＩＤおよび保留中のストロークを登録サーバ１１に送信する。上記登録サーバはペンに対応するユーザを識別すると共にユーザの蓄積筆跡モデル８２２を使用して上記ストロークを手書きテキストとして解読する。上記登録サーバが上記ストロークをテキストに変換したなら、該登録サーバはそのテキストを要求元ページサーバに返信する。ページサーバは上記テキストを、上記テキストフィールドのテキスト値にアペンドする。
【０２７７】
５．４  署名照合プロトコル
ストロークによりその区域が交差される入力用エレメントを署名フィールド８８０とすると、ページサーバ１０はそのストロークを上記署名フィールドのデジタルインクにアペンドする。
【０２７８】
上記署名フィールドの上記区域における所定期間の非活動状態の後、上記ページサーバはペンＩＤ６１および保留中のストロークを照合の為に登録サーバ１１に送信する。該ページサーバはまた、上記署名フィールドがその一部であるフォームに関連するアプリケーションＩＤ６４と、そのフォームの現在データ内容とを送信する。上記登録サーバは上記ペンに対応するユーザを識別すると共に、ユーザの動的な署名バイオメトリック値８１８を使用して上記ストロークをユーザの署名として照合する。上記登録サーバが上記署名を照合したなら、該登録サーバはアプリケーションＩＤ６４およびユーザＩＤ６０を使用してユーザのアプリケーション特有非公開署名キーを識別する。登録サーバは次に上記キーを使用し、上記フォームデータのデジタル署名を生成し、該デジタル署名を要求元ページサーバへと返信する。上記ページサーバは上記デジタル署名を上記署名フィールドに割り当てると共に、関連するフォームのステータスをフリーズ済（ｆｒｏｚｅｎ）に設定する。
上記デジタル署名は、対応ユーザのエイリアスＩＤ６５を含む。これにより単一フォームは、複数のユーザの署名を捕捉し得る。
【０２７９】
５．５  フォーム提出プロトコル
図４６には、フォーム提出プロトコルの好ましい実施形態が示されている。
フォーム提出は、フォームハイパーリンク起動により生ずる。故にそれは、一定のフォーム特有の付加事項を以て、第５．２節で定義されたプロトコルに従う。
【０２８０】
フォームハイパーリンクの場合、アプリケーション７１に対してページサーバ１０から送信されたハイパーリンク起動メッセージはフォームＩＤ５６、および、フォームの現在データ内容も含む。もし上記フォームが何らかの署名フィールドを含むなら、アプリケーションは、対応デジタル署名に関連するエイリアスＩＤ６５を抽出すると共に登録サーバ１１から対応証明書を獲得することにより、各署名フィールドを照合する。
【０２８１】
５．６  手数料支払プロトコル
図４７には、手数料支払プロトコルの好ましい実施形態が示されている。
電子商取引環境において、料金（ｆｅｅ）および手数料（ｃｏｍｍｉｓｓｉｏｎ）はクリックスルー、トランザクションおよび売上に対してアプリケーション・プロバイダから発行者へと支払われ得る。「料金に関する手数料」および「手数料に関する手数料」もまた、発行者からプリンタのプロバイダへと支払われ得る。
【０２８２】
ハイパーリンク要求ＩＤ５２は、ターゲット・アプリケーション・プロバイダ７０ａ（例えば商店）からソース・アプリケーション・プロバイダ７０ｂ（すなわち発行者）に、及び、ソース・アプリケーション・プロバイダ７０ｂからプリンタ・プロバイダ７２に料金もしくは手数料のクレジット（ｃｒｅｄｉｔ）をルーティングすべく使用される。
【０２８３】
第５．２節に記述された如く、ハイパーリンクが最初に起動されたときにターゲット・アプリケーションはページサーバ１０からハイパーリンク要求ＩＤを受信する。ターゲット・アプリケーションがソース・アプリケーション・プロバイダに対して振込む必要がある場合、ターゲット・アプリケーションはアプリケーション・プロバイダへのクレジットを上記ハイパーリンク要求ＩＤと共に元のページサーバへと送る。ページサーバは、上記ハイパーリンク要求ＩＤを使用してソース・アプリケーションを識別し、且つ、上記ソース・アプリケーションＩＤ６４、自身のサーバＩＤ５３および上記ハイパーリンク要求ＩＤと共に上記クレジットを適切な登録サーバ１１へと送る。上記登録サーバは、対応するアプリケーション・プロバイダの口座８２７へと振込みを行う。登録サーバはまた、上記アプリケーション・プロバイダに対して通知を行う。
【０２８４】
アプリケーション・プロバイダがプリンタ・プロバイダに対して振込む必要がある場合には、該アプリケーション・プロバイダはハイパーリンク要求ＩＤと共にプリンタ・プロバイダへのクレジットを元のページサーバに送信する。該ページサーバは上記ハイパーリンク要求ＩＤを使用してプリンタを識別し、且つ、プリンタＩＤと共に上記クレジットを適切な登録サーバへと送る。上記登録サーバは、対応するプリンタ・プロバイダ口座８１４に振込みを行う。
【０２８５】
上記ソース・アプリケーション・プロバイダは選択的にターゲット・アプリケーション・プロバイダのＩＤを通知され、且つ、プリンタ・プロバイダはソース・アプリケーション・プロバイダのＩＤを通知される。
【０２８６】
６．  ネットページ・ペンの説明
６．１  ペンの構造
図８および図９を参照すると、参照番号１０１で示されたペンは、ペンの各構成要素を取付ける内部空間１０４を画成する壁部１０３を有するプラスチック成形品の形態のハウジング１０２を備える。作動時においてペン頂部１０５はハウジング１０２の一端１０６に回転可能に取付けられる。ハウジング１０２の反対側の端部１０８には半透明カバー１０７が固定される。カバー１０７もまた成形プラスチックから成り、ハウジング１０２内に取付けられたＬＥＤの状態をユーザが視認し得るべく半透明材料から形成される。カバー１０７は、ハウジング１０２の端部１０８を実質的に囲繞する主要部分１０９と、該主要部分１０９から後方に突出し、ハウジング１０２の壁部１０３に形成された対応するスロット１１１と嵌合する突出部分１１０とを備える。ハウジング１０２内において、突出部分１１０の背後には無線アンテナ１１２が取付けられる。カバー１０７上の開孔１１３Ａを囲繞するネジ山１１３は、対応するネジ山１１５を有する金属製端部片１１４を受容すべく配置される。金属製端部片１１４は、インクカートリッジの交換を可能とすべく着脱自在である。
【０２８７】
カバー１０７内には、可撓ＰＣＢ１１７上に三色ステータスＬＥＤ１１６も取付けられる。上記アンテナ１１２もまた可撓ＰＣＢ１１７上に取付けられる。ステータスＬＥＤ１１６は、周囲一帯から良好に視認できるようにペン１０１の頂部に取付けられる。
【０２８８】
上記ペンは、通常の記入用インク・ペンおよび非記入用スタイラスの両者として作用し得る。ハウジング１０２内には、ペン先１１９を備えたインクペンカートリッジ１１８およびスタイラスのペン先１２１を備えたスタイラス１２０が並置して取付けられる。ペン頂部１０５の回転により、インクカートリッジのペン先１１９またはスタイラスのペン先１２１のいずれかが、金属製端部片１１４の開放端部１２２を介して前方に送られ得る。インクカートリッジ１１８およびスタイラス１２０に対してはスライダ・ブロック１２３および１２４が夫々取付けられる。作動時においてペン頂部１０５には回転可能なカム筒体１２５が固定され、ペン頂部１０５と共に回転すべく配置される。カム筒体１２５は、該カム筒体の壁部１８１内のスロットの形態のカム１２６を備える。スライダ・ブロック１２３および１２４から突出するカム従動子１２７および１２８は、カムスロット１２６に嵌合する。カム筒体１２５の回転時にスライダ・ブロック１２３もしくは１２４は相互に対して移動することにより、金属製端部片１１４内の開放端部１２２を介してペン先１１９またはスタイラスのペン先１２１のいずれかを突出させ
【０２８９】
る。ペン１０１は、３通りの動作状態を有する。頂部１０５を９０°刻みで転回することにより、
・スタイラス１２０のペン先１２１が露出、
・インクカートリッジ１１８のペン先１１９が露出、および、
・インクカートリッジ１１８のペン先１１９もスタイラス１２０のペン先１２１も露出しないという３通りの状態が在る。
【０２９０】
ハウジング１０２内に着座する電子回路用台座１３０上には、第２可撓ＰＣＢ１２９が取付けられる。第２可撓ＰＣＢ１２９は、面上へ赤外線放射を投射する赤外線ＬＥＤ１３１が取付けられる。面からの反射赤外線を受信すべく、第２可撓ＰＣＢ１２９上には画像センサ１３２が取付けられる。第２可撓ＰＣＢ１２９には、ＲＦ送信器およびＲＦ受信器を含む無線周波チップ１３３、および、ペン１０１の動作を制御する制御装置チップ１３４も取付けられる。カバー１０７内には（成形透明プラスチックから形成された）光学ブロック１３５が着座して、面上に赤外線ビームを投射して画像センサ１３２へと画像を受信する。第２可撓ＰＣＢ１２９上の各構成要素は、カム筒体１２５内に取付けられたバッテリ用接点１３７に対して電源ワイヤ１３６により接続される。バッテリ用接点１３７およびカム筒体１２５は、端子１３８により接続される。カム筒体１２５内には、上記バッテリ用接点に接触すべく３ボルトの充電可能バッテリ１３９が着座する。誘導によりバッテリ１３９の再充電を可能とすべく、第２可撓ＰＣＢ１２９の回りには誘導式充電用コイル１４０が取付けられる。第２可撓ＰＣＢ１２９はまた、ペン先１１９もしくはスタイラスのペン先１２１により面に対して付与された力の測定を可能とすべく、スタイラス１２０もしくはインクカートリッジ１１８のいずれかが書き込みに使用されたときにカム筒体１２５における変位を検出すべく赤外線ＬＥＤ１４３および赤外線フォトダイオード１４４も取付けられる。ＩＲフォトダイオード１４４はスライダ・ブロック１２３，１２４上に取付けられた）反射器（図示せずを介し、ＩＲ  ＬＥＤ１４３からの光を検出する。
【０２９１】
ペン１０１の把持を支援すべくハウジング１０２の端部１０８に向けてゴムグリップパッド１４１，１４２が配備されると共に、頂部１０５はポケットに対してペン１０１を掛止する為のクリップ１４２も備える。
【０２９２】
６．２  ペン制御装置
ペン１０１は、そのペン先（スタイラスのペン先１２１もしくはインクカートリッジのペン先１１９）の近傍の面の領域を赤外線スペクトルで作像することにより、該ペン先の位置を決定すべく配置される。該ペンは、最も近い所在位置タグからの所在位置データを記録し、且つ、光学機器１３５および制御装置チップ１３４を利用して所在位置タブからペン先１２１もしくは１１９までの距離を計算すべく配置される。制御装置チップ１３４は、作像化タグに関して観察された遠近の歪曲から、ペンの配向とペン先／タグ間距離とを計算する。
【０２９３】
ＲＦチップ１３３およびアンテナ１１２を利用してペン１０１は、デジタルインク・データを上記演算システムへと送信し得る（前記デジタルインク・データは、セキュリティの為に暗号化されると共に効率的送信の為にパッケージ化される）。
【０２９４】
上記ペンが受信器の有効範囲内に在るとき、デジタルインク・データは、形成され次第、送信される。ペン１０１が上記有効範囲から移動したとき、デジタルインク・データはペン１０１内にバッファされ（ペン１０１の回路は、面上における約１２分間のペン移動に対するデジタルインク・データを記憶すべく配置されたバッファを含んでいる）、後に送信され得る。
【０２９５】
制御装置チップ１３４は、ペン１０１内の第２可撓ＰＣＢ１２９上に取付けられる。図１０は制御装置チップ１３４のアーキテクチャを更に詳細に示すブロック図である。図１０は、ＲＦチップ１３３、画像センサ１３２、三色ステータスＬＥＤ１１６、ＩＲ照射用ＬＥＤ１３１、ＩＲ式力センサＬＥＤ１４３および力センサ用フォトダイオード１４４も示している。
【０２９６】
ペン制御装置チップ１３４は制御用プロセッサ１４５を備える。バス１４６により、制御装置チップ１３４の各構成要素間のデータの交換が可能とされる。フラッシュメモリ１４７および５１２ＫＢ  ＤＲＡＭ１４８も備えられる。力センサ用フォトダイオード１４４からのアナログ信号をデジデジタル信号へと変換すべく、アナログ／デジタル変換器１４９が配置される。
【０２９７】
画像センサ１３２に対しては画像センサインタフェース１５２がインタフェースする。アンテナ１１２に接続されたＲＦ回路１５５並びにＲＦ共振器およびインダクタ１５６を含むＲＦチップ１３３に対してインタフェースするためにトランシーバ制御装置１５３およびベースバンド回路１５４も備えられる。
【０２９８】
制御用プロセッサ１４５は、画像センサ１３２を介して面から各タグの所在位置データを捕捉して復号化し、力センサ用フォトダイオード１４４を監視し、ＬＥＤ１１６，１３１，１４３を制御し、且つ、無線トランシーバ１５３を介して短距離無線通信を処理する。これは、中間性能（〜４０ＭＨｚ）の汎用ＲＩＳＣプロセッサである。
【０２９９】
プロセッサ１４５、デジタル・トランシーバ構成要素（トランシーバ制御装置１５３およびベースバンド回路１５４）、画像センサインタフェース１５２、フラッシュメモリ１４７および５１２ＫＢ  ＤＲＡＭ１４８は、単一制御装置ＡＳＩＣ内に集積化される。アナログＲＦ構成要素（ＲＦ回路１５５ならびにＲＦ共振器およびインダクタ１５６）は、別体のＲＦチップ内に配備される。
【０３００】
上記画像センサは、ＩＲフィルタを備えた２１５×２１５ピクセルＣＣＤである（斯かるセンサは、松下電子工業株式会社（Ｍａｔｓｕｓｈｉｔａ  Ｅｌｅｃｔｒｏｎｉｃ  Ｃｏｒｐｏｒａｔｉｏｎ）により製造され、かつＩＥＥＥ  Ｔｒａｎｓａｃｔｉｏｎ  ｏｎ  Ｅｌｅｃｔｒｏｎｉｃ  Ｄｅｖｉｃｅｓ、第４７巻、第１号、２０００年１月のイタクラ（Ｉｔａｋｕｒａ）、Ｋ  Ｔ  ノブサダ（Ｋ  Ｔ  Ｎｏｂｕｓａｄａ）、Ｎ  オクセンヤ（Ｎ  Ｏｋｕｓｅｎｙａ）、Ｒ  ナガヨシ（Ｒ  Ｎａｇａｙｏｓｈｉ）およびＭ  オザキ（Ｍ  Ｏｚａｋｉ）による論文「小型カメラシステム用の１ｍｍ５０ｋ−ピクセルＩＴ  ＣＣＤ画像センサ（Ａ  １ｍｍ  ５０ｋ−Ｐｉｘｅｌ  ＩＴ  ＣＣＤ  Ｉｍａｇｅ  Ｓｅｎｓｏｒ  ｆｏｒ  Ｍｉｎｉａｔｕｒｅ  Ｃａｍｅｒａ  Ｓｙｓｔｅｍ）」に記述されており、その内容は言及したことにより本明細書中に援用される）。
【０３０１】
制御装置用ＡＳＩＣ１３４は、ペン１０１が面と接触していないときには所定期間の非活動状態の後で静止状態を入力する。該制御装置用ＡＳＩＣ１３４は、力センサ用フォトダイオード１４４を監視する専用回路１５０であってペン下降事象の場合には電力マネージャ１５１を介して制御装置１３４を覚醒させる専用回路１５０を組み込んでいる。
【０３０２】
上記無線トランシーバは、無線電話により通常的に使用される認可不要（ｕｎｌｉｃｅｎｓｅｄ）の９００ＭＨｚ帯域もしくは認可不要の２．４ＧＨｚ工業、科学、医療（ＩＳＭ）帯域で通信すると共に、周波数ホッピングおよび衝突検出を使用して無干渉通信を提供する。
【０３０３】
代替実施形態において上記ペンは、基地局またはネットページ・プリンタとの短距離通信のために赤外線データ協会（Ｉｎｆｒａｒｅｄ  Ｄａｔａ  Ａｓｓｏｃｉａｔｉｏｎ）（ＩｒＤＡ）インタフェースを組み込んでいる。
【０３０４】
更なる実施形態においてペン１０１は、ペン１０１の軸線に対する直交平面に取付けられた一対の直交加速度計を含む。各加速度計１９０は、図９および図１０においてゴースト輪郭で示される。
【０３０５】
上記加速度計の配備によればペン１０１の該実施形態は面の所在位置タグを参照することなく動作を検知し得ることから、所在位置タグは更に低速でサンプリングされ得る。そのときに所在位置タグＩＤは、面上の位置ではなく注目しているオブジェクトを識別し得る。例えばオブジェクトがユーザインタフェース入力エレメント（例えばコマンド・ボタン）であれば、その入力用エレメントの領域内における各所在位置タグのタグＩＤはその入力用エレメントを直接的に識別し得る。
【０３０６】
ｘおよびｙ方向の各々において上記加速度計により測定された加速度は時間に関して積分され、瞬間的な速度および位置が生成される。
ストロークの開始位置は未知であることから、ストローク内における相対位置のみが計算される。位置の積分は検知された加速度のエラーを蓄積するが、加速度計は一般的には高解像度を有すると共に、エラーが蓄積されるストロークの存続時間は短い。
【０３０７】
７．  ネットページ・プリンタの説明
７．１  プリンタ構造
図１１においては、垂直に取付けられたネットページ用壁掛型プリンタ６０１が完全に組立てられて示される。それは、図１２および図１２ａに示された如く、両面８（１／２）インチＭｅｍｊｅｔ（登録商標）印刷エンジン６０２および６０３を使用してレター／Ａ４サイズの媒体上にネットページを印刷する。該プリンタは、用紙６０４はフルカラーおよびフルブリード（ｆｕｌｌ  ｂｌｅｅｄ）でシートの両面を同時に印刷する両面印刷エンジン６０２，６０３を通過する直線的な用紙経路を使用する。
【０３０８】
各印刷済シートの一辺に沿っては一体的な結着用アセンブリ６０５が接着剤片を付与することから、該シートは先行シートに対して押圧されたときに該先行シートに接着され得る。これにより、１枚ないし数百枚の厚みに亙り得る最終的に製本されたドキュメント６１８が生成され得る。
【０３０９】
上記両面印刷エンジンに連結されると共に図１３に示された交換可能インクカートリッジ６２７は、定着剤、接着剤、ならびに、シアン、マゼンタ、イェロー、ブラックならびに赤外線用の各インクを収納するための袋体もしくはチャンバを有する。上記カートリッジは、基部成形体内に微小空気フィルタも含んでいる。この微小空気フィルタはホース６３９を介してプリンタの内側の空気ポンプ６３８とインタフェースする。これにより濾過済空気が印刷ヘッドに提供されることから、印刷ヘッドノズルを閉塞するであろう微小粒子がＭｅｍｊｅｔ（登録商標）印刷ヘッド３５０に進入するのが防止される。上記カートリッジ内に上記空気フィルタを組み込んでいることにより、該フィルタの作動寿命はカートリッジの寿命と実効的にリンクされる。上記インクカートリッジは、３，０００頁（１，５００枚）を印刷かつ接着する能力を有する完全にリサイクル可能な製品である。
【０３１０】
図１２を参照すると、動力式媒体ピックアップローラアセンブリ６２６は媒体トレイから頂部シートを直接的に、第１印刷エンジン６０２上の用紙センサを通して上記二重化Ｍｅｍｊｅｔ（登録商標）印刷ヘッド・アセンブリ内に押し出す。２個のＭｅｍｊｅｔ（登録商標）印刷エンジン６０２，６０３は、上記直線的用紙経路に沿い、対向して一直線となる連続した構成（ｏｐｐｏｓｉｎｇ  ｉｎ−ｌｉｎｅ  ｓｅｑｕｅｎｔｉａｌ  ｃｏｎｆｉｇｕｒａｔｉｏｎ）で取付けられる。用紙６０４は、一体的な動力式ピックアップローラ６２６により第１印刷エンジン６０２内に引込まれる。用紙６０４の位置およびサイズが検知され、フルブリード印刷が開始される。可能な最短時間での乾燥を助力すべく、定着剤が同時に印刷される。
【０３１１】
上記用紙は、ゴム被覆ローラに対して作用すべく（上記直線的用紙経路に沿って整列された）一群の動力式出口スパイク・ホィールを通して第１Ｍｅｍｊｅｔ（登録商標）印刷エンジン６０２を退出する。これらのスパイク・ホィールは「濡れた」印刷済面に接触して、連続的にシート６０４を第２Ｍｅｍｊｅｔ（登録商標）印刷エンジン６０３へと供給する。
【０３１２】
図１２および図１２ａを参照すると、用紙６０４は両面印刷エンジン６０２，６０３からバインダアセンブリ６０５内へと通過する。上記印刷されたページは、支持用の繊維含有（ｆｉｂｒｏｕｓ）ローラを備えた駆動式スパイクホイール軸６７０と、スパイク・ホィールおよび一時的作用接着剤ホィールの両者を備えた別の可動軸と、の間を通過する。金属製支持ブラケットには可動軸／接着剤アセンブリ６７３が取付けられると共に、該アセンブリはカム軸の作用により各ギヤを介して駆動式軸６７０とインタフェースすべく前方に搬送される。このカム軸は、別のモータが駆動する。
【０３１３】
接着剤ホイールアセンブリ６７３は、インクカートリッジ６２７からの接着剤供給用ホース６４１に対する回転連結を有する部分的中空軸６７９から成る。この軸６７９は、径方向の各孔を介した毛細管作用により接着剤を吸収する接着剤ホィールに接続される。該接着剤ホィールは、前部に開口を備えた成形ハウジング６８２が囲繞する。枢動式の側部成形体およびバネ式の外側ドアは、上記金属製ブラケットに対して取付けられ、アセンブリ６７３の残部が前方に押圧されたときに外方側方に揺動する。この作用により、上記接着剤ホィールは成形ハウジング６８２の前部を通して露出される。非活動状態の期間の間には、引張スプリングが上記アセンブリを閉成して効率的に上記接着剤ホィールを覆う。
【０３１４】
シート６０４が接着剤ホイールアセンブリ６７３内を通過するに際し、該シート６０４が結合用アセンブリ６０５内に下方搬送されるにつれて（ドキュメントの第１シートは別として）前側の一方の垂直縁部には接着剤が塗付される。
【０３１５】
７．２  プリンタ制御装置のアーキテクチャ
図１４に示された如く上記ネットページ・プリンタ制御装置は、制御用プロセッサ７５０、工場もしくは現場で設置されるネットワークインタフェース・モジュール６２５、無線トランシーバ（トランシーバ制御装置７５３、ベースバンド回路７５４、ＲＦ回路７５５およびＲＦ共振器およびインダクタ７５６）、デュアル・ラスタ画像プロセッサ（ＲＩＰ）ＤＳＰ７５７、両面印刷エンジン制御装置７６０ａ、７６０ｂ、フラッシュメモリ６５８、および６４ＭＢのＤＲＡＭ６５７から成る。
【０３１６】
上記制御用プロセッサは、ネットワーク１９およびローカル・ワイヤレス・ネットページ・ペン１０１との通信を処理し、ヘルプボタン６１７を検知し、ユーザインタフェースＬＥＤ６１３〜６１６を制御し、且つ、各ＲＩＰ  ＤＳＰ７５７および各印刷エンジン制御装置７６０に対する供給および同期を行う。該制御用プロセッサは、中間性能汎用マイクロプロセッサから成る。制御用プロセッサ７５０は高速シリアルバス６５９を介して印刷エンジン制御装置７６０と通信する。
【０３１７】
上記各ＲＩＰ  ＤＳＰはページ記述をラスタライズすると共に、上記ネットページ・プリンタの圧縮ページ・フォーマットへと圧縮する。各印刷エンジン制御装置はページ画像をリアルタイムで（すなわち３０頁／分以上で）、展開し、ディザリングし、且つ、関連するＭｅｍｊｅｔ（登録商標）印刷ヘッド３５０へと印刷する。上記両面印刷エンジン制御装置は、シートの両面に同時に印刷する。
【０３１８】
マスタ印刷エンジン制御装置７６０ａは用紙搬送を制御すると共に、マスタＱＡチップ６６５およびインクカートリッジＱＡチップ７６１に関してインク使用を監視する。
【０３１９】
上記プリンタ制御装置のフラッシュメモリ６５８は、プロセッサ７５０および各ＤＳＰ７５７の両者に対するソフトウェアと、コンフィギュレーション・データとを保持する。これは、ブート時にメインメモリ６５７にコピーされる。
【０３２０】
プロセッサ７５０、各ＤＳＰ７５７、およびデジタル・トランシーバ構成要素（トランシーバ制御装置７５３およびベースバンド回路７５４）は、単一制御装置ＡＳＩＣ６５６内に集積化される。アナログＲＦ構成要素（ＲＦ回路７５５ならびにＲＦ共振器およびインダクタ７５６）は別体のＲＦチップ７６２内に配備される。ネットワークインタフェース・モジュール６２５は別体である、と言うのも、各ネットページ・プリンタは工場選択もしくは現場選択とされるネットワーク接続を許容するからである。フラッシュメモリ６５８および２×２５６Ｍビット（６４ＭＢ）ＤＲＡＭ６５７もまた、チップ外とされる。各印刷エンジン制御装置７６０は、別体の各ＡＳＩＣ内に配備される。
【０３２１】
種々のネットワークインタフェース・モジュール６２５が配備されるが、その各々は、ネットページネットワークインタフェース７５１および選択的にローカル・コンピュータもしくはネットワークインタフェース７５２を提供する。ネットページネットワークのインターネット・インタフェースとしては、ＰＯＴＳモデム、ハイブリッド同軸ファイバ（ＨＦＣ）ケーブル・モデム、ＩＳＤＮモデム、ＤＳＬモデム、衛星送受信機、現在および次世代のセル式電話送受信機、および無線ローカル・ループ（ＷＬＬ）送受信機が挙げられる。ローカル・インタフェースとしては、ＩＥＥＥ１２８４（パラレル・ポート）、１０Ｂａｓｅ−Ｔおよび１００Ｂａｓｅ−Ｔイーサネット、ＵＳＢおよびＵＳＢ２．０、ＩＥＥＥ１３９４（Ｆｉｒｅｗｉｒｅ）、および発展段階の種々の家庭用ネットワークインタフェースが挙げられる。もしローカル・ネットワーク上でインターネット接続が利用可能であれば、ローカル・ネットワークインタフェースは上記ネットページネットワークインタフェースとして使用され得る。
【０３２２】
上記無線トランシーバ７５３は、無線電話により通常的に使用される認可不要の９００ＭＨｚ帯域もしくは認可不要の２．４ＧＨｚ工業、科学、医療（ＩＳＭ）帯域で通信すると共に、周波数ホッピングおよび衝突検出を使用して無干渉通信を提供する。
【０３２３】
上記プリンタ制御装置は選択的に、ネットページ・カメラなどの装置から「噴出する」データを受信すべく赤外線データ協会（ＩｒＤＡ）インタフェースを組み込んでいる。代替実施形態において上記プリンタは、適切に構成されたネットページ・ペンと短距離通信すべくＩｒＤＡインタフェースを使用する。
【０３２４】
７．２．１  ラスタライズおよび印刷
プロセッサ７５０がドキュメントのページ・レイアウトおよびページオブジェクトを受信して照合したなら、該プロセッサは各ＤＳＰ７５７上で適切なＲＩＰソフトウェアを実行する。
【０３２５】
各ＤＳＰ７５７は各ページ記述をラスタライズし、ラスタライズされたページ画像を圧縮する。上記主要プロセッサは各圧縮ページ画像をメモリ内に記憶する。複数のＤＳＰを負荷平衡する最も簡単な手法は、各ＤＳＰに対して別体のページをラスタライズさせることである。各ＤＳＰは常にビジー（ｂｕｓｙ）に維持され得る、と言うのも、概略的には任意数のラスタライズされたページがメモリ内に記憶され得るからである。この方策は、短いドキュメントをラスタライズするときにＤＳＰの利用度が可能的に低くなるだけである。
【０３２６】
ページ記述内の透かし模様領域はコントーン解像度バイレベル・ビットマップ（ｃｏｎｔｏｎｅ−ｒｅｓｏｌｕｔｉｏｎ  ｂｉ−ｌｅｖｅｌ  ｂｉｔｍａｐ）へとラスタライズされるが、このビットマップは無視し得るサイズへと無損失で圧縮されると共に圧縮ページ画像の一部を構成する。
【０３２７】
上記印刷されたページの赤外線（ＩＲ）レイヤは、約６個／インチの密度でコード化ネットページ・タグを含む。各タグはページＩＤ、タグＩＤおよび制御ビットをコード化し、且つ、各タグのデータ内容はラスタライズの間に生成されて圧縮ページ画像内に記憶される。
【０３２８】
主要プロセッサ７５０は、背中合わせの各ページ画像を両面印刷エンジン制御装置７６０へと受け渡す。各印刷エンジン制御装置７６０はそのローカル・メモリ内に圧縮ページ画像を記憶すると共に、ページの展開および印刷パイプラインを開始する。ページ展開および印刷はパイプライン化される、と言うのも、メモリ内に１１４ＭＢのバイレベルＣＭＹＫ＋ＩＲページ画像を記憶するのは非実用的だからである。
【０３２９】
７．２．２  印刷エンジン制御装置
印刷エンジン制御装置７６０のページ展開および印刷パイプラインは、高速ＩＥＥＥ１３９４シリアルインタフェース６５９、標準ＪＰＥＧデコーダ７６３、標準Ｇ４ＦＡＸデコーダ７６４、カスタム・ハーフトーンナー／コンポジタユニット７６５、カスタム・タグ・エンコーダ７６６、ラインローダ／フォーマッタ・ユニット７６７、および、Ｍｅｍｊｅｔ（登録商標）印刷ヘッド３５０へのカスタム・インタフェース７６８から成る。
【０３３０】
印刷エンジン制御装置３６０は、二重バッファ様式で作動する。１枚のページが高速シリアルインタフェース６５９を介してＤＲＡＭ７６９へとロードされる一方、先行してロードされたページはＤＲＡＭ７６９から読み取られると共に上記印刷エンジン制御装置パイプラインを介して受け渡される。上記ページの印刷が終了したなら、ロードされたばかりのページが印刷され乍ら、別のページがロードされる。
【０３３１】
上記パイプラインの第１段階は、全てが並行して、（７６３にて）ＪＰＥＧ圧縮済コントーンＣＭＹＫレイヤを展開し、（７６４にて）Ｇ４ＦＡＸ圧縮済バイレベル・ブラック・レイヤを展開し、且つ、（７６６にて）は第１．２節で定義されたタグ・フォーマットに従いバイレベル・ネットページ・タグ・レイヤをレンダリング（ｒｅｎｄｅｒ）する。第２段階は、（７６５にて）上記コントーンＣＭＹＫレイヤをディザリングすると共に、（７６５にて）生成したバイレベルＣＭＹＫレイヤ上にバイレベル・ブラック・レイヤを合成する。合成されたバイレベルＣＭＹＫ＋ＩＲドット・データは（７６７にて）、一群のライン・バッファを介してＭｅｍｊｅｔ（登録商標）印刷ヘッド３５０で印刷されるべくバッファかつフォーマットされる。これらのライン・バッファの殆どは、チップ外ＤＲＡＭ内に記憶される。最後の段階は、（定着剤を含む）６チャネルのバイレベル・ドット・データを印刷ヘッドインタフェース７６８を介してＭｅｍｊｅｔ（登録商標）印刷ヘッド３５０に出力（ｐｒｉｎｔ）する。
【０３３２】
両面用の構成などにおいて数個の印刷エンジン制御装置７６０が同時に使用される場合、それらは共有ライン同期信号７７０を介して同期される。この共有ラインに対しては、外部マスタ／スレーブピン７７１を介して選択された１台の印刷エンジン７６０のみがライン同期信号７７０を生成する。
【０３３３】
印刷エンジン制御装置７６０は低速プロセッサ７７２を備えるが、該低速プロセッサ７７２は、ページ展開およびレンダリング・パイプラインを同期し、低速シリアルバス７７３を介して印刷ヘッド３５０を設定し、且つ、ステッパモータ６７５、６７６を制御する。
【０３３４】
上記ネットページ・プリンタの８（１／２）インチ版において、２個の印刷エンジンは各々、ページの長寸（１１インチ）に沿って毎分３０枚のレター・ページを印刷することにより、１６００ｄｐｉにて８．８ＫＨｚのライン速度（ｌｉｎｅ  ｒａｔｅ）を与える。また、ネットページ・プリンタの１２インチ版において、２個の印刷エンジンは各々、ページの短寸（８（１／２）インチ）に沿って毎分４５枚のレター・ページを印刷することにより、１０．２ＫＨｚのライン速度を与える。これらのライン速度は十分に、現在の設計態様では３０ＫＨｚを超えるＭｅｍｊｅｔ（登録商標）印刷ヘッドの作動周波数の範囲内である。
【０３３５】
結論
本発明は好ましい実施形態ならびに多数の特定代替実施形態に関して記述された。しかし当業者であれば、特に記述されたのとは異なる他の多数の実施形態も本発明の精神および有効範囲内であることを理解し得よう。故に本発明は、適宜であるとして相互参照されて援用された出願および文献を含め、本明細書中で記述された特定実施形態に制限することは企図されない。本発明の有効範囲は添付の請求の範囲によってのみ限定される。
【図面の簡単な説明】
【図１】  ネットページの印刷されたサンプルとそのオンライン・ページ記述との関係の概略図。
【図２】  ネットページ・ペン、ネットページ・プリンタ、ネットページ・ページサーバおよびネットページ・アプリケーション・サーバの間の対話の概略図。
【図３】  ネットワークを介して相互接続されたネットページおよびプリンタの集合を示す図。
【図４】  印刷されたネットページおよびそのオンライン・ページ記述の高レベル構造の概略図。
【図５】  ネットページ・タグの構造を示す平面図。
【図６】  図５に示された一群のタグと、ネットページ・ペンの形態のネットページ検知装置の視野との間の関係を示す平面図。
【図７】  タグ画像処理および復号化アルゴリズムのフローチャート。
【図８】  ネットページ・ペンおよび関連するタグ検知用視野円錐の斜視図。
【図９】  図８に示されたネットページ・ペンの分解斜視図。
【図１０】  図８および図９に示された上記ネットページ・ペンに対するペン制御装置の概略的ブロック図。
【図１１】  壁部に取付けられたネットページ・プリンタの斜視図。
【図１２】  図１１のネットページ・プリンタの長さに沿った断面図。
【図１２ａ】  両面印刷エンジンおよび接着剤ホイールアセンブリの断面を示す図１２の部分的拡大図。
【図１３】  図１１および図１２のネットページ・プリンタのインクカートリッジ、インク、空気および接着剤の各経路、および各印刷エンジンの詳細図。
【図１４】  図１１および図１２に示された上記ネットページ・プリンタに対するプリンタ制御装置の概略的ブロック図。
【図１５】  図１４に示されたプリンタ制御装置に関連する両面印刷エンジン制御装置およびＭｅｍｊｅｔ（登録商標）印刷ヘッドの概略的ブロック図。
【図１６】  図１４および図１５に示された上記印刷エンジン制御装置の概略的ブロック図。
【図１７】  例えば図１０乃至図１２のネットページ・プリンタで使用される単一のＭｅｍｊｅｔ（登録商標）印刷要素の斜視図。
【図１８】  Ｍｅｍｊｅｔ（登録商標）印刷要素の配列の小部分の斜視図。
【図１９】  図１３に示された上記Ｍｅｍｊｅｔ（登録商標）印刷要素の動作サイクルを示す一連の斜視図。
【図２０】  ページ幅Ｍｅｍｊｅｔ（登録商標）印刷ヘッドの短寸セグメントの斜視図。
【図２１】  ユーザ・クラス概念図の概略図。
【図２２】  プリンタ・クラス概念図の概略図。
【図２３】  ペン・クラス概念図の概略図。
【図２４】  アプリケーション・クラス概念図の概略図。
【図２５】  ドキュメントおよびページ記述クラス概念図の概略図。
【図２６】  ドキュメントおよびページ所有者権限クラス概念図の概略図。
【図２７】  端末エレメント特化クラス概念図の概略図。
【図２８】  スタティックエレメント特化クラス概念図の概略図。
【図２９】  ハイパーリンクエレメント・クラス概念図の概略図。
【図３０】  ハイパーリンクエレメント特化クラス概念図の概略図。
【図３１】  ハイパーリンク化グループ・クラス概念図の概略図。
【図３２】  フォーム・クラス概念図の概略図。
【図３３】  デジタルインク・クラス概念図の概略図。
【図３４】  フィールドエレメント特化クラス概念図の概略図。
【図３５】  チェックボックスフィールド・クラス概念図の概略図。
【図３６】  テキストフィールド・クラス概念図の概略図。
【図３７】  署名フィールド・クラス概念図の概略図。
【図３８】  入力処理アルゴリズムのフローチャート。
【図３８ａ】  図３８のフローチャートの一ステップの概略図。
【図３９】  ページサーバコマンドエレメント・クラス概念図の概略図。
【図４０】  リソース記述クラス概念図の概略図。
【図４１】  お気に入りリスト・クラス概念図の概略図。
【図４２】  履歴リスト・クラス概念図の概略図。
【図４３】  購読配信プロトコルの概略図。
【図４４】  ハイパーリンク要求クラス概念図の概略図。
【図４５】  ハイパーリンク起動プロトコルの概略図。
【図４６】  フォーム提出プロトコルの概略図。
【図４７】  手数料支払プロトコルの概略図。
【図１】
0004663131.tif 000005
【図２】
0004663131.tif 000006
【図３】
0004663131.tif 000007
【図４】
0004663131.tif 000008
【図５】
0004663131.tif 000009
【図６】
0004663131.tif 000010
【図７】
0004663131.tif 000011
【図８】
0004663131.tif 000012
【図９】
0004663131.tif 000013
【図１０】
0004663131.tif 000014
【図１１】
0004663131.tif 000015
【図１２】
0004663131.tif 000016
【図１２ａ】
0004663131.tif 000017
【図１３】
0004663131.tif 000018
【図１４】
0004663131.tif 000019
【図１５】
0004663131.tif 000020
【図１６】
0004663131.tif 000021
【図１７】
0004663131.tif 000022
【図１８】
0004663131.tif 000023
【図１９】
0004663131.tif 000024
【図２０】
0004663131.tif 000025
【図２１】
0004663131.tif 000026
【図２２】
0004663131.tif 000027
【図２３】
0004663131.tif 000028
【図２４】
0004663131.tif 000029
【図２５】
0004663131.tif 000030
【図２６】
0004663131.tif 000031
【図２７】
0004663131.tif 000032
【図２８】
0004663131.tif 000033
【図２９】
0004663131.tif 000034
【図３０】
0004663131.tif 000035
【図３１】
0004663131.tif 000036
【図３２】
0004663131.tif 000037
【図３３】
0004663131.tif 000038
【図３４】
0004663131.tif 000039
【図３５】
0004663131.tif 000040
【図３６】
0004663131.tif 000041
【図３７】
0004663131.tif 000042
【図３８】
0004663131.tif 000043
【図３８ａ】
0004663131.tif 000044
【図３９】
0004663131.tif 000045
【図４０】
0004663131.tif 000046
【図４１】
0004663131.tif 000047
【図４２】
0004663131.tif 000048
【図４３】
0004663131.tif 000049
【図４４】
0004663131.tif 000050
【図４５】
0004663131.tif 000051
【図４６】
0004663131.tif 000052
【図４７】
0004663131.tif 000053